(57)【要約】本開示は、情報伝送のための方法および装置を提供する。本方法は、利用可能な狭帯域のうちの１つ以上を経由して情報またはチャネルを伝送することを含む。利用可能な狭帯域は、利用可能なアップリンク狭帯域および／または利用可能なダウンリンク狭帯域を含み、利用可能な狭帯域は、システム帯域幅、セル識別、アンカ搬送波の位置、ＰＳＳによって示される情報、ＳＳＳによって示される情報、ＭＩＢによって示される情報、およびＳＩＢによって示される情報のうちの少なくとも１つを含む、情報に基づいて判定される。１つ以上の狭帯域を経由して伝送される情報またはチャネルは、ダウンリンク制御チャネル、ＰＤＳＣＨ、ＲＡＲ、ページングメッセージ、ＳＩＢ、ＭＩＢ、ＰＲＡＣＨ、ＰＵＳＣＨ、およびＰＵＣＣＨのうちの少なくとも１つを含む。
2019508960.tif 000002
【特許請求の範囲】
【請求項１】
情報伝送のための方法であって、
利用可能な狭帯域のうちの１つ以上を経由して情報またはチャネルを伝送することを含み、
前記利用可能な狭帯域は、利用可能なアップリンク狭帯域および／または利用可能なダウンリンク狭帯域を備え、前記利用可能な狭帯域は、システム帯域幅、セル識別、アンカ搬送波の位置、一次同期信号（ＰＳＳ）によって示される情報、二次同期信号（ＳＳＳ）によって示される情報、マスタ情報ブロック（ＭＩＢ）によって示される情報、およびシステム情報ブロック（ＳＩＢ）によって示される情報のうちの少なくとも１つを備える、情報に基づいて判定され、
前記１つ以上の狭帯域を経由して伝送される前記情報またはチャネルは、ダウンリンク制御チャネル、物理ダウンリンク共有チャネル（ＰＤＳＣＨ）、ランダムアクセス応答（ＲＡＲ）、ページングメッセージ、ＳＩＢ、ＭＩＢ、物理ランダムアクセスチャネル（ＰＲＡＣＨ）、物理アップリンク共有チャネル（ＰＵＳＣＨ）、および物理アップリンク制御チャネル（ＰＵＣＣＨ）のうちの少なくとも１つを備える、方法。
【請求項２】
前記利用可能な狭帯域を判定する際に使用されることに加えて、前記アンカ搬送波の位置は、前記ＳＩＢのためのスケジューリング情報、前記ＭＩＢの中に含まれるビット数またはフィールド、時間ドメイン周波数ホッピング粒度、周波数ドメイン周波数ホッピング間隔、周波数ホッピングパターン、および前記情報またはチャネルが伝送される周波数ドメイン位置のうちの少なくとも１つを示すために使用される、請求項１に記載の方法。
【請求項３】
利用可能な狭帯域の数は、２の倍数、３の倍数、２の累乗、Ｇの倍数、およびセット｛２、４、８、１２、および１６｝からの要素のうちの１つであり、Ｇは、前記システム帯域幅に対応するリソースブロックグループ（ＲＢＧ）の中に含まれる物理リソースブロック（ＰＲＢ）の数であり、Ｇは、正の整数である、請求項１に記載の方法。
【請求項４】
利用可能な狭帯域の数は、前記システム帯域幅に基づいて判定される、請求項１または３に記載の方法。
【請求項５】
前記利用可能な狭帯域は、伝送帯域幅内の以下の位置：前記伝送帯域幅の両端、前記伝送帯域幅の一端、前記伝送帯域幅の中心における６個または７個のＰＲＢの両側、前記伝送帯域幅の中心における６個または７個のＰＲＢの片側、前記伝送帯域幅の中心、および前記伝送帯域幅にわたる事前判定された周波数ドメイン間隔のうちの１つにある、請求項１に記載の方法。
【請求項６】
前記伝送帯域幅の両端におけるＰＲＢまたはＲＢＧ、前記伝送帯域幅の一端、前記伝送帯域幅の中心における６個または７個のＰＲＢの両側、前記伝送帯域幅の中心における６個または７個のＰＲＢの片側、もしくは前記伝送帯域幅の中心は、
Ｎ個の連続ＰＲＢまたは規則的に離間したＰＲＢ、
Ｎ個の連続ＲＢＧまたは規則的に離間したＲＢＧ、および
それぞれが利用可能な狭帯域として１個のＰＲＢを含む、Ｎ個のＲＢＧからのＮ個のＰＲＢ
のうちの１つであり、Ｎは、正の整数である、請求項１または５に記載の方法。
【請求項７】
前記利用可能な狭帯域は、
前記システム帯域幅に対応する伝送帯域幅内のＮ個の狭帯域、
前記システム帯域幅の一端または両端における１つもしくは複数の保護帯域内のＮ個の狭帯域、
前記システム帯域幅に対応する前記伝送帯域幅内のＮ１個の狭帯域および前記システム帯域幅の一端または両端における前記保護帯域内のＮ２個の狭帯域、ならびに
周波数ドメイン内の２つの隣接するシステム帯域幅の保護帯域の全てまたは一部内のＮ個の狭帯域
のうちの１つを含み、Ｎ、Ｎ１、およびＮ２は、正の整数である、請求項１に記載の方法。
【請求項８】
ランダムアクセスプロシージャ中または無線リソース制御（ＲＲＣ）接続の確立前、もしくはユーザ機器（ＵＥ）のための狭帯域の構成前に、前記利用可能な狭帯域のうちの１つ以上を経由して前記情報またはチャネルを伝送することは、
進化型ノードＢ（ｅＮＢ）によって事前判定または構成されるアップリンクアンカ搬送波を経由して前記ＰＲＡＣＨまたはＰＵＳＣＨを伝送し、ダウンリンクアンカ搬送波または前記アップリンクアンカ搬送波に対応するダウンリンク狭帯域を経由して前記ダウンリンク制御チャネルまたはＰＤＳＣＨを伝送することと、
カバレッジレベルに基づいて狭帯域のセットから選択されるアップリンク狭帯域を経由して前記ＰＲＡＣＨまたはＰＵＳＣＨを伝送し、前記アップリンク狭帯域に対応するダウンリンク狭帯域またはアンカ搬送波を経由して前記ダウンリンク制御チャネルまたはＰＤＳＣＨを伝送することであって、前記狭帯域のセットは、前記ｅＮＢによって事前判定または構成される、ことと、
狭帯域のセットから選択される狭帯域を経由して前記ＰＲＡＣＨまたはＰＵＳＣＨを伝送し、前記アップリンク狭帯域に対応するダウンリンク狭帯域またはアンカ搬送波を経由して前記ダウンリンク制御チャネルまたはＰＤＳＣＨを伝送することであって、前記狭帯域のセットは、前記ｅＮＢによって事前判定または構成される、ことと
のうちの１つを含む、請求項１に記載の方法。
【請求項９】
前記ページングメッセージを伝送するための前記利用可能な狭帯域は、
ダウンリンクアンカ搬送波、
最高カバレッジレベルにおけるＰＲＡＣＨ狭帯域に対応するダウンリンク狭帯域、および
ＵＥ識別に基づくページング狭帯域のセットから判定されるダウンリンク狭帯域であって、前記ページング狭帯域のセットは、前記ＳＩＢを介して事前判定または構成される、ダウンリンク狭帯域
のうちの１つを備える、請求項１に記載の方法。
【請求項１０】
前記ページングメッセージを伝送するためのサブフレームは、前記ページングメッセージを伝送するための前記狭帯域のタイプに基づいて判定される、請求項９に記載の方法。
【請求項１１】
前記アンカ搬送波の位置は、前記ＰＳＳ、ＳＳＳ、ＰＢＣＨ、またはＳＩＢ内でシグナリングされる、請求項１または２に記載の方法。
【請求項１２】
帯域内モードでは、前記アンカ搬送波の位置は、前記システム帯域幅の中心の両側の３２個の候補位置のうちの１つにある、請求項１１に記載の方法。
【請求項１３】
前記アンカ搬送波の位置は、５ビットを使用して示される、請求項１１または１２に記載の方法。
【請求項１４】
前記アンカ搬送波の位置についての情報、前記システム帯域幅についての情報、レガシーセル参照信号（ＣＲＳ）ポートについての情報、同一物理セル識別（ＰＣＩ）についての情報、ラスタオフセットについての情報、および動作モードについての情報は、別個に示され、または
前記アンカ搬送波の位置についての情報、前記システム帯域幅についての情報、前記レガシーＣＲＳポートについての情報、同一ＰＣＩについての情報、前記ラスタオフセットについての情報、および前記動作モードについての情報のうちの少なくとも２つは、合同でコード化することによって示される、請求項１１に記載の方法。
【請求項１５】
同一ＰＣＩについての前記情報および前記動作モードについての前記情報を合同でコード化することによって示される情報は、
独立型モード、
保護モード、
前記同一ＰＣＩを伴う帯域内モード、または
異なるＰＣＩを伴う帯域内モード
のうちの１つを示す、請求項１４に記載の方法。
【請求項１６】
前記レガシーＣＲＳポートについての前記情報は、狭帯域モノのインターネット（ＮＢ−ＩｏＴ）システム内のＣＲＳポートについての情報に基づいて判定される、請求項１４に記載の方法。
【請求項１７】
前記レガシーＣＲＳポートについての前記情報は、
４であるレガシーＣＲＳポートの数と、
前記ＮＢ−ＩｏＴシステム内のＣＲＳポートの数と同一であるレガシーＣＲＳポートの数と
のうちの１つを示す、請求項１４または１６に記載の方法。
【請求項１８】
合同でコード化することによって示される前記情報は、前記ＰＳＳ、ＳＳＳ、ＰＢＣＨ、またはＳＩＢ内でシグナリングされる、請求項１４に記載の方法。
【請求項１９】
情報伝送のための装置であって、
利用可能な狭帯域のうちの１つ以上を経由して情報またはチャネルを伝送するように構成された伝送モジュールを備え、
前記利用可能な狭帯域は、利用可能なアップリンク狭帯域および／または利用可能なダウンリンク狭帯域を備え、前記利用可能な狭帯域は、システム帯域幅、セル識別、アンカ搬送波の位置、一次同期信号（ＰＳＳ）によって示される情報、二次同期信号（ＳＳＳ）によって示される情報、マスタ情報ブロック（ＭＩＢ）によって示される情報、およびシステム情報ブロック（ＳＩＢ）によって示される情報のうちの少なくとも１つを備える、情報に基づいて判定され、
前記１つ以上の狭帯域を経由して伝送される前記情報またはチャネルは、ダウンリンク制御チャネル、物理ダウンリンク共有チャネル（ＰＤＳＣＨ）、ランダムアクセス応答（ＲＡＲ）、ページングメッセージ、ＳＩＢ、ＭＩＢ、物理ランダムアクセスチャネル（ＰＲＡＣＨ）、物理アップリンク共有チャネル（ＰＵＳＣＨ）、および物理アップリンク制御チャネル（ＰＵＣＣＨ）のうちの少なくとも１つを備える、装置。
【請求項２０】
前記利用可能な狭帯域を判定する際に使用されることに加えて、前記アンカ搬送波の位置は、前記ＳＩＢのためのスケジューリング情報、前記ＭＩＢの中に含まれるビット数またはフィールド、時間ドメイン周波数ホッピング粒度、周波数ドメイン周波数ホッピング間隔、周波数ホッピングパターン、および前記情報またはチャネルが伝送される周波数ドメイン位置のうちの少なくとも１つを示すために使用される、請求項１９に記載の装置。
【発明の詳細な説明】
【技術分野】
【０００１】
本開示は、通信技術に関し、より具体的には、情報伝送のための方法および装置に関する。
【背景技術】
【０００２】
マシンタイプ通信（ＭＴＣ）ユーザ機器（ＵＥ）（マシンツーマシン（Ｍ２Ｍ）ユーザ通信デバイスとも称される）は、現在、モノのインターネット（ＩｏＴ）の適用の主要な形態である。第三世代パートナーシッププロジェクト（３ＧＰＰ）技術報告書（ＴＲ）４５．８２０Ｖ２００では、セルラーＩｏＴ（Ｃ−ＩｏＴ）に好適ないくつかの技法が開示されており、その中でも、狭帯域モノのインターネット（ＮＢ−ＩｏＴ）は、最も魅力的なものである。システムの帯域幅は、２００ＫＨｚであり、これは、モバイル通信用グローバルシステム（ＧＳＭ（登録商標））システムのチャネル帯域幅と同一である。これは、ＮＢ−ＩｏＴシステムが、ＧＳＭ（登録商標）システムのスペクトルを再使用し、近隣ＧＳＭ（登録商標）チャネルへの干渉を低減させるために有利である。伝送帯域幅は、１８０ＫＨｚであり、これは、ロングタームエボリューション（ＬＴＥ）システム内の１つの物理リソースブロック（ＰＲＢ）のサイズであり、ＬＴＥシステム帯域幅内の１個のＰＲＢを経由して伝送されることができる。ＮＢ−ＩｏＴは、３つの動作シナリオ：独立型モード、保護帯域モード、および帯域内モードを有する。
【０００３】
関連技術では、現在、ＮＢ−ＩｏＴ内で複数の狭帯域／搬送波を取得する方法に関する問題に効果的なソリューションがない。
【発明の概要】
【発明が解決しようとする課題】
【０００４】
（要約）
本開示の実施形態は、関連技術において、少なくとも、ＮＢ−ＩｏＴ内で複数の狭帯域／搬送波を取得する方法に関する問題を解決することが可能である、情報伝送のための方法および装置を提供する。
【課題を解決するための手段】
【０００５】
本開示のある実施形態によると、情報伝送のための方法が提供される。本方法は、利用可能な狭帯域のうちの１つ以上を経由して情報またはチャネルを伝送することを含む。利用可能な狭帯域は、利用可能なアップリンク狭帯域および／または利用可能なダウンリンク狭帯域を含み、利用可能な狭帯域は、システム帯域幅、セル識別、アンカ搬送波の位置、一次同期信号（ＰＳＳ）によって示される情報、二次同期信号（ＳＳＳ）によって示される情報、マスタ情報ブロック（ＭＩＢ）によって示される情報、およびシステム情報ブロック（ＳＩＢ）によって示される情報のうちの少なくとも１つを含む、情報に基づいて判定される。１つ以上の狭帯域を経由して伝送される情報またはチャネルは、ダウンリンク制御チャネル、物理ダウンリンク共有チャネル（ＰＤＳＣＨ）、ランダムアクセス応答（ＲＡＲ）、ページングメッセージ、ＳＩＢ、ＭＩＢ、物理ランダムアクセスチャネル（ＰＲＡＣＨ）、物理アップリンク共有チャネル（ＰＵＳＣＨ）、および物理アップリンク制御チャネル（ＰＵＣＣＨ）のうちの少なくとも１つを含む。
【０００６】
さらに、利用可能な狭帯域を判定する際に使用されることに加えて、アンカ搬送波の位置は、ＳＩＢのためのスケジューリング情報、ＭＩＢの中に含まれるビット数またはフィールド、時間ドメイン周波数ホッピング粒度、周波数ドメイン周波数ホッピング間隔、周波数ホッピングパターン、および情報またはチャネルが伝送される周波数ドメイン位置のうちの少なくとも１つを示すために使用される。
【０００７】
さらに、利用可能な狭帯域の数は、２の倍数、３の倍数、２の累乗、Ｇの倍数、およびセット｛２、４、８、１２、および１６｝からの要素のうちの１つであり、Ｇは、システム帯域幅に対応するリソースブロックグループ（ＲＢＧ）の中に含まれる物理リソースブロック（ＰＲＢ）の数であり、Ｇは、正の整数である。
【０００８】
さらに、利用可能な狭帯域の数は、システム帯域幅に基づいて判定される。
【０００９】
さらに、利用可能な狭帯域は、伝送帯域幅内の以下の位置：伝送帯域幅の両端、伝送帯域幅の一端、伝送帯域幅の中心における６個または７個のＰＲＢの両側、伝送帯域幅の中心における６個または７個のＰＲＢの片側、伝送帯域幅の中心、および伝送帯域幅にわたる事前判定された周波数ドメイン間隔のうちの１つにある。
【００１０】
さらに、伝送帯域幅の両端におけるＰＲＢまたはＲＢＧ、伝送帯域幅の一端、伝送帯域幅の中心における６個または７個のＰＲＢの両側、伝送帯域幅の中心における６個または７個のＰＲＢの片側、もしくは伝送帯域幅の中心は、Ｎ個の連続ＰＲＢまたは規則的に離間したＰＲＢ、Ｎ個の連続ＲＢＧまたは規則的に離間したＲＢＧ、およびそれぞれが利用可能な狭帯域として１個のＰＲＢを含む、Ｎ個のＲＢＧからのＮ個のＰＲＢのうちの１つであり、Ｎは、正の整数である。
【００１１】
さらに、利用可能な狭帯域は、システム帯域幅に対応する伝送帯域幅内のＮ個の狭帯域、システム帯域幅の一端または両端における１つもしくは複数の保護帯域内のＮ個の狭帯域、システム帯域幅に対応する伝送帯域幅内のＮ１個の狭帯域およびシステム帯域幅の一端または両端における保護帯域内のＮ２個の狭帯域、ならびに周波数ドメイン内の２つの隣接するシステム帯域幅の保護帯域の全てまたは一部内のＮ個の狭帯域のうちの１つを含み、Ｎ、Ｎ１、およびＮ２は、正の整数である。
【００１２】
さらに、ランダムアクセスプロシージャ中または無線リソース制御（ＲＲＣ）接続の確立前、もしくはユーザ機器（ＵＥ）のための狭帯域の構成前に、利用可能な狭帯域のうちの１つ以上を経由して情報またはチャネルを伝送する動作は、進化型ノードＢ（ｅＮＢ）によって事前判定または構成されるアップリンクアンカ搬送波を経由してＰＲＡＣＨまたはＰＵＳＣＨを伝送し、ダウンリンクアンカ搬送波またはアップリンクアンカ搬送波に対応するダウンリンク狭帯域を経由してダウンリンク制御チャネルまたはＰＤＳＣＨを伝送すること、カバレッジレベルに基づいて狭帯域のセットから選択されるアップリンク狭帯域を経由してＰＲＡＣＨまたはＰＵＳＣＨを伝送し、アップリンク狭帯域に対応するダウンリンク狭帯域またはアンカ搬送波を経由してダウンリンク制御チャネルまたはＰＤＳＣＨを伝送することであって、狭帯域のセットは、ｅＮＢによって事前判定または構成される、こと、および狭帯域のセットから選択される狭帯域を経由してＰＲＡＣＨまたはＰＵＳＣＨを伝送し、アップリンク狭帯域に対応するダウンリンク狭帯域またはアンカ搬送波を経由してダウンリンク制御チャネルまたはＰＤＳＣＨを伝送することであって、狭帯域のセットは、ｅＮＢによって事前判定または構成される、ことのうちの１つを含む。
【００１３】
さらに、ページングメッセージを伝送するための利用可能な狭帯域は、ダウンリンクアンカ搬送波、最高カバレッジレベルにおけるＰＲＡＣＨ狭帯域に対応するダウンリンク狭帯域、およびＵＥ識別に基づくページング狭帯域のセットから判定される、ダウンリンク狭帯域であって、ページング狭帯域のセットはＳＩＢを介して事前判定または構成される、ダウンリンク狭帯域のうちの１つを含む。
【００１４】
さらに、ページングメッセージを伝送するためのサブフレームは、ページングメッセージを伝送するための狭帯域のタイプに基づいて判定される。
【００１５】
さらに、アンカ搬送波の位置は、ＰＳＳ、ＳＳＳ、ＰＢＣＨ、またはＳＩＢ内でシグナリングされる。
【００１６】
さらに、帯域内モードでは、アンカ搬送波の位置は、システム帯域幅の中心の両側の３２個の候補位置のうちの１つにある。
【００１７】
さらに、アンカ搬送波の位置は、５ビットを使用して示される。
【００１８】
さらに、アンカ搬送波の位置についての情報、システム帯域幅についての情報、レガシーセル参照信号（ＣＲＳ）ポートについての情報、同一物理セル識別（ＰＣＩ）についての情報、ラスタオフセットについての情報、および動作モードについての情報は、別個に示される。代替として、アンカ搬送波の位置についての情報、システム帯域幅についての情報、レガシーＣＲＳポートについての情報、同一ＰＣＩについての情報、ラスタオフセットについての情報、および動作モードについての情報のうちの少なくとも２つは、合同でコード化されて示される。
【００１９】
さらに、同一ＰＣＩについての情報および動作モードについての情報を合同でコード化することによって示される情報は、独立型モード、保護モード、同一ＰＣＩを伴う帯域内モード、または異なるＰＣＩを伴う帯域内モードのうちの１つを示す。
【００２０】
さらに、レガシーＣＲＳポートについての情報は、狭帯域モノのインターネット（ＮＢ−ＩｏＴ）システム内のＣＲＳポートについての情報に基づいて判定される。
【００２１】
さらに、レガシーＣＲＳポートについての情報は、４であるレガシーＣＲＳポートの数、およびＮＢ−ＩｏＴシステム内のＣＲＳポートの数と同一であるレガシーＣＲＳポートの数のうちの１つを示す。
【００２２】
さらに、アンカ搬送波の位置についての情報、システム帯域幅についての情報、および動作モードについての情報は、別個に示される。代替として、アンカ搬送波の位置についての情報、システム帯域幅についての情報、および動作モードについての情報のうちのいずれか２つまたは３つは、合同でコード化されて示される。
【００２３】
さらに、アンカ搬送波の位置についての情報、システム帯域幅についての情報、レガシーＣＲＳポートについての情報、同一ＰＣＩについての情報、ラスタオフセットについての情報、および動作モードについての情報は、別個に示される。代替として、アンカ搬送波の位置についての情報、システム帯域幅についての情報、レガシーＣＲＳポートについての情報、同一ＰＣＩについての情報、ラスタオフセットについての情報、および動作モードについての情報のうちの少なくとも２つは、合同でコード化されて示される。
【００２４】
さらに、レガシーＣＲＳポートについての情報は、狭帯域モノのインターネット（ＮＢ−ＩｏＴ）システム内のＣＲＳポートについての情報に基づいて判定される。
【００２５】
さらに、合同でコード化されて示された情報は、ＰＳＳ、ＳＳＳ、ＰＢＣＨ、またはＳＩＢ内でシグナリングされる。
【００２６】
本開示の別の実施形態によると、情報伝送のための装置が提供される。本装置は、利用可能な狭帯域のうちの１つ以上を経由して情報またはチャネルを伝送するように構成される、伝送モジュールを含む。利用可能な狭帯域は、利用可能なアップリンク狭帯域および／または利用可能なダウンリンク狭帯域を含み、利用可能な狭帯域は、システム帯域幅、セル識別、アンカ搬送波の位置、一次同期信号（ＰＳＳ）によって示される情報、二次同期信号（ＳＳＳ）によって示される情報、マスタ情報ブロック（ＭＩＢ）によって示される情報、およびシステム情報ブロック（ＳＩＢ）によって示される情報のうちの少なくとも１つを含む、情報に基づいて判定される。１つ以上の狭帯域を経由して伝送される情報またはチャネルは、ダウンリンク制御チャネル、物理ダウンリンク共有チャネル（ＰＤＳＣＨ）、ランダムアクセス応答（ＲＡＲ）、ページングメッセージ、ＳＩＢ、ＭＩＢ、物理ランダムアクセスチャネル（ＰＲＡＣＨ）、物理アップリンク共有チャネル（ＰＵＳＣＨ）、および物理アップリンク制御チャネル（ＰＵＣＣＨ）のうちの少なくとも１つを含む。
【００２７】
さらに、利用可能な狭帯域を判定する際に使用されることに加えて、アンカ搬送波の位置は、ＳＩＢのためのスケジューリング情報、ＭＩＢの中に含まれるビット数またはフィールド、時間ドメイン周波数ホッピング粒度、周波数ドメイン周波数ホッピング間隔、周波数ホッピングパターン、および情報またはチャネルが伝送される周波数ドメイン位置のうちの少なくとも１つを示すために使用される。
【００２８】
本開示の実施形態では、コンピュータ記憶媒体が提供される。コンピュータ記憶媒体は、上記の実施形態において情報伝送のための方法を行うための実行可能命令を記憶することができる。
【００２９】
本開示の実施形態を用いると、情報またはチャネルは、利用可能な狭帯域のうちの１つ以上を経由して伝送される。利用可能な狭帯域は、利用可能なアップリンク狭帯域および／または利用可能なダウンリンク狭帯域を含み、利用可能な狭帯域は、システム帯域幅、セル識別、アンカ搬送波の位置、一次同期信号（ＰＳＳ）によって示される情報、二次同期信号（ＳＳＳ）によって示される情報、マスタ情報ブロック（ＭＩＢ）によって示される情報、およびシステム情報ブロック（ＳＩＢ）によって示される情報のうちの少なくとも１つを含む、情報に基づいて判定される。１つ以上の狭帯域を経由して伝送される情報またはチャネルは、ダウンリンク制御チャネル、物理ダウンリンク共有チャネル（ＰＤＳＣＨ）、ランダムアクセス応答（ＲＡＲ）、ページングメッセージ、ＳＩＢ、ＭＩＢ、物理ランダムアクセスチャネル（ＰＲＡＣＨ）、物理アップリンク共有チャネル（ＰＵＳＣＨ）、および物理アップリンク制御チャネル（ＰＵＣＣＨ）のうちの少なくとも１つを含む。ＮＢ−ＩｏＴ内で複数の狭帯域／搬送波を取得する方法に関する問題を解決し、利用可能な狭帯域を判定するための方式を提供することが可能である。
【００３０】
本開示は、本開示の一部を構成する、以下に説明される図を参照してさらに理解され得る。本開示の例証的実施形態およびその説明は、本開示を限定するのではなく、解説するために提供される。
【図面の簡単な説明】
【００３１】
【図１】図１は、本開示のある実施形態による、情報伝送のための方法を図示するフローチャートである。
【図２】図２は、本開示のある実施形態による、情報伝送のための装置の構造を示すブロック図である。
【図３】図３は、本開示の好ましい実施形態による、２０ＭＨｚのシステム帯域幅を示す概略図である。
【発明を実施するための形態】
【００３２】
（実施形態の詳細な説明）
以下では、本開示は、実施形態と関連して検討される図を参照して詳細に説明されるであろう。実施形態およびその特徴は、競合しないことを前提として、相互に組み合わせられることができる。
【００３３】
説明、請求項、および図中の「第１」、「第２」等の用語は、類似オブジェクト間で区別するために使用され、必ずしも、任意の特定の順序またはシーケンスを含意するわけではないことに留意されたい。
【００３４】
実施形態では、情報伝送のための方法が提供される。図１は、本開示のある実施形態による、情報伝送のための方法を図示するフローチャートである。図１に示されるように、プロセスフローは、以下のステップを含む。
【００３５】
ステップＳ１０２では、利用可能な狭帯域が、システム帯域幅、セル識別、アンカ搬送波の位置、一次同期信号（ＰＳＳ）によって示される情報、二次同期信号（ＳＳＳ）によって示される情報、マスタ情報ブロック（ＭＩＢ）によって示される情報、およびシステム情報ブロック（ＳＩＢ）によって示される情報のうちの少なくとも１つを備える、情報に基づいて判定される。狭帯域を経由して伝送される情報またはチャネルは、ダウンリンク制御チャネル、物理ダウンリンク共有チャネル（ＰＤＳＣＨ）、ランダムアクセス応答（ＲＡＲ）、ページングメッセージ、ＳＩＢ、ＭＩＢ、物理ランダムアクセスチャネル（ＰＲＡＣＨ）、物理アップリンク共有チャネル（ＰＵＳＣＨ）、および物理アップリンク制御チャネル（ＰＵＣＣＨ）のうちの少なくとも１つを備える。
【００３６】
ステップＳ１０４では、情報またはチャネルは、利用可能な狭帯域のうちの１つ以上を経由して伝送される。利用可能な狭帯域は、利用可能なアップリンク狭帯域および／または利用可能なダウンリンク狭帯域を含む。
【００３７】
上記のステップを用いると、情報またはチャネルは、利用可能な狭帯域のうちの１つ以上を経由して伝送される。利用可能な狭帯域は、利用可能なアップリンク狭帯域および／または利用可能なダウンリンク狭帯域を含み、利用可能な狭帯域は、システム帯域幅、セル識別、アンカ搬送波の位置、一次同期信号（ＰＳＳ）によって示される情報、二次同期信号（ＳＳＳ）によって示される情報、マスタ情報ブロック（ＭＩＢ）によって示される情報、およびシステム情報ブロック（ＳＩＢ）によって示される情報のうちの少なくとも１つを含む、情報に基づいて判定される。１つ以上の狭帯域を経由して伝送される情報またはチャネルは、ダウンリンク制御チャネル、物理ダウンリンク共有チャネル（ＰＤＳＣＨ）、ランダムアクセス応答（ＲＡＲ）、ページングメッセージ、ＳＩＢ、ＭＩＢ、物理ランダムアクセスチャネル（ＰＲＡＣＨ）、物理アップリンク共有チャネル（ＰＵＳＣＨ）、および物理アップリンク制御チャネル（ＰＵＣＣＨ）のうちの少なくとも１つを含む。ＮＢ−ＩｏＴ内で複数の狭帯域／搬送波を取得する方法に関する問題を解決し、利用可能な狭帯域を判定するための方式を提供することが可能である。
【００３８】
本実施形態では、利用可能な狭帯域を判定する際に使用されることに加えて、アンカ搬送波の位置は、ＳＩＢのためのスケジューリング情報、ＭＩＢの中に含まれるビット数またはフィールド、時間ドメイン周波数ホッピング粒度、周波数ドメイン周波数ホッピング間隔、周波数ホッピングパターン、および情報またはチャネルが伝送される周波数ドメイン位置のうちの少なくとも１つを示すために使用される。
【００３９】
本実施形態では、利用可能な狭帯域の数は、２の倍数、３の倍数、２の累乗、Ｇの倍数、およびセット｛２、４、８、１２、および１６｝からの要素のうちの１つであり、Ｇは、システム帯域幅に対応するリソースブロックグループ（ＲＢＧ）の中に含まれる物理リソースブロック（ＰＲＢ）の数であり、Ｇは、正の整数である。
【００４０】
本開示の実施形態では、利用可能な狭帯域の数は、システム帯域幅に基づいて判定される。
【００４１】
本開示の実施形態では、利用可能な狭帯域は、伝送帯域幅内の以下の位置：伝送帯域幅の両端、伝送帯域幅の一端、伝送帯域幅の中心における６個または７個のＰＲＢの両側、伝送帯域幅の中心における６個または７個のＰＲＢの片側、伝送帯域幅の中心、および伝送帯域幅にわたる事前判定された周波数ドメイン間隔のうちの１つにある。
【００４２】
本開示の実施形態では、伝送帯域幅の両端におけるＰＲＢまたはＲＢＧ、伝送帯域幅の一端、伝送帯域幅の中心における６個または７個のＰＲＢの両側、伝送帯域幅の中心における６個または７個のＰＲＢの片側、もしくは伝送帯域幅の中心は、Ｎ個の連続ＰＲＢまたは規則的に離間したＰＲＢ、Ｎ個の連続ＲＢＧまたは規則的に離間したＲＢＧ、およびそれぞれが利用可能な狭帯域として１個のＰＲＢを含む、Ｎ個のＲＢＧからのＮ個のＰＲＢのうちの１つであり、Ｎは、正の整数である。
【００４３】
本開示の実施形態では、利用可能な狭帯域は、システム帯域幅に対応する伝送帯域幅内のＮ個の狭帯域、システム帯域幅の一端または両端における１つもしくは複数の保護帯域内のＮ個の狭帯域、システム帯域幅に対応する伝送帯域幅内のＮ１個の狭帯域およびシステム帯域幅の一端または両端における保護帯域内のＮ２個の狭帯域、ならびに周波数ドメイン内の２つの隣接するシステム帯域幅の保護帯域の全てまたは一部内のＮ個の狭帯域のうちの１つを含み、Ｎ、Ｎ１、およびＮ２は、正の整数である。
【００４４】
本開示の実施形態では、ランダムアクセスプロシージャ中または無線リソース制御（ＲＲＣ）接続の確立前、もしくはユーザ機器（ＵＥ）のための狭帯域の構成前に、利用可能な狭帯域のうちの１つ以上を経由して情報またはチャネルを伝送する動作は、
進化型ノードＢ（ｅＮＢ）によって事前判定または構成されるアップリンクアンカ搬送波を経由してＰＲＡＣＨまたはＰＵＳＣＨを伝送し、ダウンリンクアンカ搬送波またはアップリンクアンカ搬送波に対応するダウンリンク狭帯域を経由してダウンリンク制御チャネルまたはＰＤＳＣＨを伝送することと、
カバレッジレベルに基づいて狭帯域のセットから選択されるアップリンク狭帯域を経由してＰＲＡＣＨまたはＰＵＳＣＨを伝送し、アップリンク狭帯域に対応するダウンリンク狭帯域またはアンカ搬送波を経由してダウンリンク制御チャネルまたはＰＤＳＣＨを伝送することであって、狭帯域のセットは、ｅＮＢによって事前判定または構成される、ことと、
狭帯域のセットから選択される狭帯域を経由してＰＲＡＣＨまたはＰＵＳＣＨを伝送し、アップリンク狭帯域に対応するダウンリンク狭帯域またはアンカ搬送波を経由してダウンリンク制御チャネルまたはＰＤＳＣＨを伝送することであって、狭帯域のセットは、ｅＮＢによって事前判定または構成される、ことと
のうちの１つを含む。
【００４５】
本開示の実施形態では、ページングメッセージを伝送するための利用可能な狭帯域は、ダウンリンクアンカ搬送波、最高カバレッジレベルにおけるＰＲＡＣＨ狭帯域に対応するダウンリンク狭帯域、およびＵＥ識別に基づくページング狭帯域のセットから判定される、ダウンリンク狭帯域であって、ページング狭帯域のセットは、ＳＩＢを介して事前判定または構成される、ダウンリンク狭帯域のうちの１つを含む。
【００４６】
本開示の実施形態では、ページングメッセージを伝送するためのサブフレームは、ページングメッセージを伝送するための狭帯域のタイプに基づいて判定される。
【００４７】
本開示の実施形態では、アンカ搬送波の位置は、ＰＳＳ、ＳＳＳ、ＰＢＣＨ、またはＳＩＢ内でシグナリングされる。
【００４８】
本開示の実施形態では、アンカ搬送波の位置についての情報、システム帯域幅についての情報、レガシーセル参照信号（ＣＲＳ）ポートについての情報、同一物理セル識別（ＰＣＩ）についての情報、ラスタオフセットについての情報、および動作モードについての情報は、別個に示される。代替として、アンカ搬送波の位置についての情報、システム帯域幅についての情報、レガシーＣＲＳポートについての情報、同一ＰＣＩについての情報、ラスタオフセットについての情報、および動作モードについての情報のうちの少なくとも２つは、合同でコード化されて示される。
【００４９】
本開示の実施形態では、レガシーＣＲＳポートについての情報は、狭帯域モノのインターネット（ＮＢ−ＩｏＴ）システム内のＣＲＳポートについての情報に基づいて判定される。
【００５０】
本開示の実施形態では、合同でコード化されて示された情報は、ＰＳＳ、ＳＳＳ、ＰＢＣＨ、またはＳＩＢ内でシグナリングされる。
【００５１】
さらに、帯域内モードでは、アンカ搬送波の位置は、システム帯域幅の中心の両側の３２個の候補位置のうちの１つにある。
【００５２】
さらに、アンカ搬送波の位置は、５ビットを使用して示される。
【００５３】
さらに、アンカ搬送波の位置についての情報、システム帯域幅についての情報、レガシーセル参照信号（ＣＲＳ）ポートについての情報、同一物理セル識別（ＰＣＩ）についての情報、ラスタオフセットについての情報、および動作モードについての情報は、別個に示される。代替として、アンカ搬送波の位置についての情報、システム帯域幅についての情報、レガシーＣＲＳポートについての情報、同一ＰＣＩについての情報、ラスタオフセットについての情報、および動作モードについての情報のうちの少なくとも２つは、合同でコード化されて示される。
【００５４】
さらに、同一ＰＣＩについての情報および動作モードについての情報を合同でコード化することによって示される情報は、独立型モード、保護モード、同一ＰＣＩを伴う帯域内モード、または異なるＰＣＩを伴う帯域内モードのうちの１つを示す。
【００５５】
さらに、レガシーＣＲＳポートについての情報は、狭帯域モノのインターネット（ＮＢ−ＩｏＴ）システム内のＣＲＳポートについての情報に基づいて判定される。
【００５６】
さらに、レガシーＣＲＳポートについての情報は、４であるレガシーＣＲＳポートの数、およびＮＢ−ＩｏＴシステム内のＣＲＳポートの数と同一であるレガシーＣＲＳポートの数のうちの１つを示す。
【００５７】
本開示のある実施形態によると、情報伝送のための装置もまた、提供される。本装置は、上記の実施形態を実装することができ、好ましい実施形態およびその詳細は、ここでは省略されるであろう。本明細書の以降で使用されるように、用語「モジュール」は、事前判定された機能を果たすことが可能なソフトウェア、ハードウェア、またはそれらの組み合わせであることができる。以下の実施形態に説明されるような装置は、好ましくは、ソフトウェアに実装され、ハードウェアまたはソフトウェアおよびハードウェアの組み合わせにも実装され得ることが検討され得る。
【００５８】
図２は、本開示のある実施形態による、情報伝送のための装置の構造を示すブロック図である。図２に示されるように、本装置は、利用可能な狭帯域のうちの１つ以上を経由して情報またはチャネルを伝送するように構成される、伝送モジュール２２を含む。利用可能な狭帯域は、利用可能なアップリンク狭帯域および／または利用可能なダウンリンク狭帯域を含み、利用可能な狭帯域は、システム帯域幅、セル識別、アンカ搬送波の位置、一次同期信号（ＰＳＳ）によって示される情報、二次同期信号（ＳＳＳ）によって示される情報、マスタ情報ブロック（ＭＩＢ）によって示される情報、およびシステム情報ブロック（ＳＩＢ）によって示される情報のうちの少なくとも１つを含む、情報に基づいて判定される。
【００５９】
１つ以上の狭帯域を経由して伝送される情報またはチャネルは、ダウンリンク制御チャネル、物理ダウンリンク共有チャネル（ＰＤＳＣＨ）、ランダムアクセス応答（ＲＡＲ）、ページングメッセージ、ＳＩＢ、ＭＩＢ、物理ランダムアクセスチャネル（ＰＲＡＣＨ）、物理アップリンク共有チャネル（ＰＵＳＣＨ）、および物理アップリンク制御チャネル（ＰＵＣＣＨ）のうちの少なくとも１つを含む。
【００６０】
上記の装置を用いると、伝送モジュール２２は、利用可能な狭帯域のうちの１つ以上を経由して情報またはチャネルを伝送する。利用可能な狭帯域は、利用可能なアップリンク狭帯域および／または利用可能なダウンリンク狭帯域を含み、利用可能な狭帯域は、システム帯域幅、セル識別、アンカ搬送波の位置、一次同期信号（ＰＳＳ）によって示される情報、二次同期信号（ＳＳＳ）によって示される情報、マスタ情報ブロック（ＭＩＢ）によって示される情報、およびシステム情報ブロック（ＳＩＢ）によって示される情報のうちの少なくとも１つを含む、情報に基づいて判定される。１つ以上の狭帯域を経由して伝送される情報またはチャネルは、ダウンリンク制御チャネル、物理ダウンリンク共有チャネル（ＰＤＳＣＨ）、ランダムアクセス応答（ＲＡＲ）、ページングメッセージ、ＳＩＢ、ＭＩＢ、物理ランダムアクセスチャネル（ＰＲＡＣＨ）、物理アップリンク共有チャネル（ＰＵＳＣＨ）、および物理アップリンク制御チャネル（ＰＵＣＣＨ）のうちの少なくとも１つを含む。ＮＢ−ＩｏＴ内で複数の狭帯域／搬送波を取得する方法に関する問題を解決し、利用可能な狭帯域を判定するための方式を提供することが可能である。
【００６１】
本開示の実施形態では、利用可能な狭帯域を判定する際に使用されることに加えて、アンカ搬送波の位置は、ＳＩＢのためのスケジューリング情報、ＭＩＢの中に含まれるビット数またはフィールド、時間ドメイン周波数ホッピング粒度、周波数ドメイン周波数ホッピング間隔、周波数ホッピングパターン、および情報またはチャネルが伝送される周波数ドメイン位置のうちの少なくとも１つを示すために使用される。
【００６２】
本開示の実施形態では、利用可能な狭帯域の数は、システム帯域幅に基づいて判定される。
【００６３】
本開示の実施形態では、利用可能な狭帯域は、伝送帯域幅内の以下の位置：伝送帯域幅の両端、伝送帯域幅の一端、伝送帯域幅の中心における６個または７個のＰＲＢの両側、伝送帯域幅の中心における６個または７個のＰＲＢの片側、伝送帯域幅の中心、および伝送帯域幅にわたる事前判定された周波数ドメイン間隔のうちの１つにある。
【００６４】
本開示の実施形態では、伝送帯域幅の両端におけるＰＲＢまたはＲＢＧ、伝送帯域幅の一端、伝送帯域幅の中心における６個または７個のＰＲＢの両側、伝送帯域幅の中心における６個または７個のＰＲＢの片側、もしくは伝送帯域幅の中心は、Ｎ個の連続ＰＲＢまたは規則的に離間したＰＲＢ、Ｎ個の連続ＲＢＧまたは規則的に離間したＲＢＧ、およびそれぞれが利用可能な狭帯域として１個のＰＲＢを含む、Ｎ個のＲＢＧからのＮ個のＰＲＢのうちの１つであり、Ｎは、正の整数である。
【００６５】
本開示の実施形態では、利用可能な狭帯域は、システム帯域幅に対応する伝送帯域幅内のＮ個の狭帯域、システム帯域幅の一端または両端における１つもしくは複数の保護帯域内のＮ個の狭帯域、システム帯域幅に対応する伝送帯域幅内のＮ１個の狭帯域およびシステム帯域幅の一端または両端における保護帯域内のＮ２個の狭帯域、ならびに周波数ドメイン内の２つの隣接するシステム帯域幅の保護帯域の全てまたは一部内のＮ個の狭帯域のうちの１つを含み、Ｎ、Ｎ１、およびＮ２は、正の整数である。
【００６６】
本開示の実施形態では、ランダムアクセスプロシージャ中または無線リソース制御（ＲＲＣ）接続の確立前、もしくはユーザ機器（ＵＥ）のための狭帯域の構成前に、利用可能な狭帯域のうちの１つ以上を経由して情報またはチャネルを伝送する動作は、
進化型ノードＢ（ｅＮＢ）によって事前判定または構成されるアップリンクアンカ搬送波を経由してＰＲＡＣＨまたはＰＵＳＣＨを伝送し、ダウンリンクアンカ搬送波またはアップリンクアンカ搬送波に対応するダウンリンク狭帯域を経由してダウンリンク制御チャネルまたはＰＤＳＣＨを伝送することと、
カバレッジレベルに基づいて狭帯域のセットから選択されるアップリンク狭帯域を経由してＰＲＡＣＨまたはＰＵＳＣＨを伝送し、アップリンク狭帯域に対応するダウンリンク狭帯域またはアンカ搬送波を経由してダウンリンク制御チャネルまたはＰＤＳＣＨを伝送することであって、狭帯域のセットは、ｅＮＢによって事前判定または構成される、ことと、
狭帯域のセットから選択される狭帯域を経由してＰＲＡＣＨまたはＰＵＳＣＨを伝送し、アップリンク狭帯域に対応するダウンリンク狭帯域またはアンカ搬送波を経由してダウンリンク制御チャネルまたはＰＤＳＣＨを伝送することであって、狭帯域のセットは、ｅＮＢによって事前判定または構成される、ことと
のうちの１つを含む。
【００６７】
本開示の実施形態では、ページングメッセージを伝送するための利用可能な狭帯域は、ダウンリンクアンカ搬送波、最高カバレッジレベルにおけるＰＲＡＣＨ狭帯域に対応するダウンリンク狭帯域、およびＵＥ識別に基づくページング狭帯域のセットから判定される、ダウンリンク狭帯域であって、ページング狭帯域のセットは、ＳＩＢを介して事前判定または構成される、ダウンリンク狭帯域のうちの１つを含む。
【００６８】
本開示の実施形態では、ページングメッセージを伝送するためのサブフレームは、ページングメッセージを伝送するための狭帯域のタイプに基づいて判定される。
【００６９】
本開示の実施形態では、アンカ搬送波の位置は、ＰＳＳ、ＳＳＳ、ＰＢＣＨ、またはＳＩＢ内でシグナリングされる。
【００７０】
本開示の実施形態では、アンカ搬送波の位置についての情報、システム帯域幅についての情報、および動作モードについての情報は、別個に示される。代替として、アンカ搬送波の位置についての情報、システム帯域幅についての情報、および動作モードについての情報のうちのいずれか２つまたは３つは、合同でコード化されて示される。
【００７１】
上記のモジュールはそれぞれ、ソフトウェアまたはハードウェアを用いて実現されることができ、後者は、限定されないが、以下の様式：上記のモジュールが、同一のプロセッサに位置すること、または上記のモジュールが、複数のプロセッサにおいて分散されることによって実現されることができることに留意されたい。
【００７２】
以下では、本開示の好ましい実施形態が、詳細に解説されるであろう。
【００７３】
本開示の好ましい実施形態は、例えば、ＮＢ−ＩｏＴシステムを参照して解説されるであろう。しかしながら、本開示の好ましい実施形態における方法は、ＮＢ−ＩｏＴシステムにおいて適用されることに限定されない。
【００７４】
好ましい実施形態１
本実施形態では、ＮＢ−ＰＳＳ／ＳＳＳを伝送するためのＰＲＢまたは狭帯域は、アンカ搬送波と称される。本開示の実施形態では、「ＮＢ−」は、ＮＢ−ＩｏＴシステムで使用される情報／チャネルを示す。ｅＮＢは、アンカ搬送波のためのＰＲＢ情報およびシステム帯域幅をＵＥにシグナリングする。
【００７５】
システム帯域幅に関して、各ＰＲＢは、アンカ搬送波として使用されることができる。代替として、ＰＲＢの一部のみが、アンカ搬送波として使用されることができる。例えば、１００ｋＨｚの倍数から７．５ｋＨｚよりも小さいラスタオフセットとともに中心周波数をそれぞれ有する、ＰＲＢのみが、アンカ搬送波として使用されることができる。５ＭＨｚのシステム帯域幅では、アンカ搬送波として使用されることができるＰＲＢのインデックスは、＃２、７、１３、および２２を含む。この場合、アンカ搬送波のためのＰＲＢ情報は、２ビットを使用して示されることができる。
【００７６】
ｅＮＢは、ＮＢ−ＰＢＣＨ、ＮＢ−ＳＩＢ、ＮＢ−ＰＳＳ、またはＮＢ−ＳＳＳを介して、アンカ搬送波のためのＰＲＢ情報およびシステム帯域幅をＵＥにシグナリングすることができる。
【００７７】
随意に、ＮＢ−ＰＢＣＨ、ＮＢ−ＳＩＢ、ＮＢ−ＰＳＳ、またはＮＢ−ＳＳＳでは、システム帯域幅およびＰＲＢ情報は、別個に示されることができる。例えば、５つのシステム帯域幅は、３ビットを使用して示されることができ、ＰＲＢ情報は、２ビットを使用して示されることができる。代替として、システム帯域幅およびＰＲＢ情報は、合同でコード化されて示されることができる。例えば、８つの異なるＰＲＢ位置をそれぞれ有する、５つのシステム帯域幅があるとき、合計で４０の状態を示すために６ビットが必要とされる。
【００７８】
別の実施例では、個別のシステム帯域幅で利用可能なＰＲＢのインデックスは、以下の表１に示されることができる。
【表１】
2019508960.tif 000003
【００７９】
６ビットを使用して示されることができる、合計４６のＰＲＢインデックスがある。６ビットは、以下の表２に示されるように、システム帯域幅および対応するＰＲＢインデックスを示す。
【表２−１】
2019508960.tif 000004
【表２−２】
2019508960.tif 000005
【表２−３】
2019508960.tif 000006
【００８０】
代替として、システム帯域幅は、シグナリングされなくてもよい。表１内のＰＲＢインデックスは、ＤＣの両側の３２個の位置にある。この場合、それらを示すために５ビットが必要とされる。
【００８１】
随意に、ｅＮＢは、アップリンク狭帯域のＰＲＢインデックスをＵＥにシグナリングすることができる。例えば、アップリンクシステム帯域幅がダウンリンクシステム帯域幅と異なるとき、ｅＮＢは、ＰＲＢインデックスとともにシステム帯域幅をシグナリングすることができる。示すために９ビットを必要とする、合計で１５＋２５＋５０＋７５＋１００＝２６５の状態がある。
【００８２】
随意に、システム帯域幅、ＰＲＢ情報、および動作モードは、別個に示され、または合同でコード化されることができる。例えば、３つの動作モード：帯域内モード、独立型モード、および保護帯域モードがある。この場合、上記の４６の状態を含む、合計で４９の状態があり、したがって、それらを示すために６ビットが必要とされる。
【００８３】
随意に、２ビット情報は、ＵＥの動作モードおよびリソースマッピング情報を示すことができる。例えば、「００」は、保護帯域モードを示し、「０１」は、独立型モードを示し、「１０」は、２つのＣＲＳポートのためのリソースマッピングを伴う帯域内モードを示し、「１１」は、４つのＣＲＳポートのためのリソースマッピングを伴う帯域内モードを示す。
【００８４】
関連技術では、ＬＴＥシステムでのシステム帯域幅は、伝送帯域幅およびその両側の保護帯域を含む、全体的な帯域幅を指す。ＬＴＥシステムには、いくつかのシステム帯域幅：１．４ＭＨｚ、３ＭＨｚ、５ＭＨｚ、１０ＭＨｚ、１５ＭＨｚ、および２０ＭＨｚがある。各システム帯域幅は、システム帯域幅内で伝送するために使用可能な帯域幅である、対応する伝送帯域幅を有する。例えば、上記のシステム帯域幅に関して、それらの個別の伝送帯域幅は、６個のＰＲＢ、１５個のＰＲＢ、２５個のＰＲＢ、５０個のＰＲＢ、７５個のＰＲＢ、および１００個のＰＲＢである。システム帯域幅内で、伝送帯域幅の両側の部分は、保護帯域である。図３は、本開示の好ましい実施形態による、２０ＭＨｚのシステム帯域幅を示す概略図である。
【００８５】
実施形態１では、狭帯域を判定するための方法が提供される。ＵＥは、システム帯域幅に基づいて利用可能な狭帯域の位置を判定することができる。ここで、利用可能な狭帯域は、利用可能なアップリンク狭帯域および／または利用可能なダウンリンク狭帯域を含む。すなわち、利用可能な狭帯域の位置は、システム帯域幅のみに依存する。いったんＵＥがシステム帯域幅を取得すると、利用可能な狭帯域の位置を判定することができる。例えば、ＵＥは、利用可能なダウンリンク狭帯域の位置を判定することができ、利用可能なアップリンク狭帯域は、ＳＩＢ内でシグナリングされる。代替として、ＵＥは、システム帯域幅に基づいて、利用可能なダウンリンク狭帯域および利用可能なアップリンク狭帯域の両方を判定することができる。ＮＢ−ＩｏＴ内の他のチャネルは、ダウンリンク内のＮＢ−ＳＩＢ、ＮＢ−ＰＤＣＣＨ、ＮＢ−ＰＤＳＣＨ、ＮＢ−ページング、およびＮＢ−ＲＡＲ、またはアップリンク内のＮＢ−ＰＲＡＣＨ、ＮＢ−ＰＵＳＣＨ、およびＮＢ−ＰＵＣＣＨ等の利用可能な狭帯域内で伝送されることができる。
【００８６】
利用可能なアップリンク狭帯域の数および利用可能なダウンリンク狭帯域の数は、同一である場合もあり、そうではない場合もある。利用可能なアップリンク狭帯域および利用可能なダウンリンク狭帯域は、システム帯域幅内の同一の位置にある場合もあり、そうではない場合もある。
【００８７】
随意に、利用可能なアップリンク狭帯域および利用可能なダウンリンク狭帯域は、事前判定された様式で対合される。例えば、低周波数から高周波数まで０〜７のインデックスを有する、８つの利用可能なアップリンク狭帯域と、低周波数から高周波数まで０〜７のインデックスを有する、８つの利用可能なダウンリンク狭帯域とが存在し得る。同一のインデックスを有する、１つのアップリンク狭帯域および１つのダウンリンク狭帯域は、対合され、対でＵＥのために構成されることができる。ＵＥが利用可能なアップリンク狭帯域を経由してアップリンクデータを伝送する場合、利用可能なアップリンク狭帯域に対応する利用可能なダウンリンク狭帯域を経由して、ダウンリンクデータを受信することができる。代替として、利用可能なアップリンク狭帯域および利用可能なダウンリンク狭帯域は、任意に構成されることができる。例えば、ｅＮＢは、ＵＥのために、利用可能なアップリンク狭帯域および利用可能なダウンリンク狭帯域を別個に構成することができる。代替として、上記の２つの方式は、混合されることができ、例えば、いくつかの狭帯域は、対合されることができ、いくつかの他のものは、任意に構成されることができる。実施例では、本システムは、それぞれ、３つのダウンリンク狭帯域に対応する、ＰＲＡＣＨの伝送のために利用可能な３つの狭帯域を有してもよく、他の狭帯域は、任意に構成されることができる。代替として、ランダムアクセスでは、本システムは、それぞれ、３つのダウンリンク狭帯域に対応する、ＰＲＡＣＨの伝送のために利用可能な３つの狭帯域を有してもよい。ｅＮＢがＵＥに特有の狭帯域を構成するとき、全ての狭帯域は、任意に構成されることができる。
【００８８】
情報／チャネルが伝送される狭帯域が構成されるとき、これは、シグナリングオーバーヘッドを節約するための利用可能な狭帯域に基づいて示されることができる。例えば、合計で１６個の利用可能な狭帯域があるとき、それらは、低周波数から高周波数まで０〜１５として番号付けされ、４ビットを使用して示されることができる。ＮＢ−ＰＤＳＣＨ／ＮＢ−ＰＵＳＣＨのためのリソース配分もまた、利用可能な狭帯域に基づくことができる。例えば、合計で１６個の利用可能な狭帯域があるとき、伝送のための狭帯域は、４ビットを使用して示されることができる。
【００８９】
利用可能な狭帯域の位置は、以下で解説されるであろう。
【００９０】
１）利用可能な狭帯域は、ＬＴＥの伝送帯域幅内にあることができる。
【００９１】
本実施例は、利用可能なアップリンク狭帯域／利用可能なダウンリンク狭帯域に適用されることができる。
【００９２】
利用可能な狭帯域は、伝送帯域幅内の全てのＰＲＢであることができる。
【００９３】
代替として、利用可能なアップリンク狭帯域は、伝送帯域幅の両端に位置することができる。
【００９４】
例えば、２０ＭＨｚの伝送帯域幅は、１００個のＰＲＢを含有する。合計で１６個の利用可能な狭帯域、すなわち、伝送帯域幅の両端で対称に配列され、０〜７および９２〜９９のインデックスを有する、１６個のＰＲＢがある。別の実施例では、１０ＭＨｚの伝送帯域幅は、５０個のＰＲＢを含有する。合計で８個の利用可能な狭帯域、すなわち、伝送帯域幅の両端で対称に配列され、０〜３および４５〜４９のインデックスを有する、８個のＰＲＢがある。好ましくは、利用可能な狭帯域は、ＲＢＧと整合される。利用可能な狭帯域は、両端におけるいくつかのＲＢＧであることができる。ある方式では、より少ないＰＲＢを含有する最後のＲＢＧは、除去され、利用可能な狭帯域は、残りのＲＢＧに属する。例えば、５ＭＨｚのシステム帯域幅は、２５個のＰＲＢおよび１３個のＲＢＧを含有する。最初の１２個のＲＢＧ（０〜１１のインデックスを有する）では、各ＲＢＧ（１２のインデックスを有する）は、２個のＰＲＢを含有する。最後のＲＢＧは、１個のＰＲＢを含有し、利用可能な狭帯域として使用されることができない。次いで、４個のＲＢＧが、利用可能な狭帯域として使用される。合計で８個の利用可能な狭帯域、すなわち、ＲＢＧ＃０、１、１０、および１１がある。すなわち、２個未満のＰＲＢを含有する最後のＲＢＧは、利用可能な狭帯域として使用されない。このようにして、利用可能な狭帯域は、ＲＢＧと整合され、これは、レガシーＵＥのためのリソース配分に有利である。代替として、より少ないＰＲＢを含有する最後のＲＢＧは、除去されず、４個のＲＢＧが、利用可能な狭帯域として使用される。合計で７個の利用可能な狭帯域、すなわち、ＲＢＧ＃０、１、１１、および１２がある。
【００９５】
随意に、利用可能な狭帯域のオフセットが、システム帯域幅に基づいて判定されることができる。オフセットは、伝送帯域幅のエッジからの利用可能な狭帯域のオフセットである。例えば、２０ＭＨｚの伝送帯域幅は、１００個のＰＲＢを含有する。合計で１６個の利用可能な狭帯域がある。利用可能な狭帯域に対応するＰＲＢのインデックスは、オフセットが０であるときに０〜７および９２〜９９、またはオフセットが１であるときに８〜１５および８４〜９１のインデックスである。
【００９６】
随意に、利用可能な狭帯域は、事前判定された間隔で生じるＰＲＢまたはＲＢＧであることができる。例えば、２０ＭＨｚの伝送帯域幅は、１００個のＰＲＢを含有する。伝送帯域幅の両端で対称に配列され、２の事前判定された間隔、すなわち、０、２、４、６、９２、９４、９６、および９８、または０、２、４、６、９３、９５、９７、および９９のＰＲＢインデックスで生じる、８個のＰＲＢである、合計で８個の利用可能な狭帯域がある。
【００９７】
随意に、利用可能な狭帯域は、Ｎ個の連続ＰＲＢまたは規則的に離間したＰＲＢ、Ｎ個の連続ＲＢＧまたは規則的に離間したＲＢＧ、および伝送帯域幅の両端においてそれぞれが利用可能な狭帯域として１個のＰＲＢを含む、Ｎ個のＲＢＧからのＮ個のＰＲＢであることができる。随意に、各ＲＢＧ内のＰＲＢの位置はそれぞれ、セル識別に基づいて判定されることができる。例えば、
【数１】
2019508960.tif 000007
であるとき、利用可能な狭帯域は、各ＲＢＧ内の第１のＰＲＢであり、
【数２】
2019508960.tif 000008
であるとき、利用可能な狭帯域は、各ＲＢＧ内の第２のＰＲＢである等であり、
【数３】
2019508960.tif 000009
は、セル識別であり、Ｇは、システム帯域幅に対応する各ＲＢＧの中に含まれるＰＲＢの数である。
【００９８】
代替として、利用可能な狭帯域は、Ｎ個の連続ＰＲＢまたは規則的に離間したＰＲＢ、Ｎ個の連続ＲＢＧまたは規則的に離間したＲＢＧ、および伝送帯域幅の一端においてそれぞれが利用可能な狭帯域として１個のＰＲＢを含む、Ｎ個のＲＢＧからのＮ個のＰＲＢであることができる。
【００９９】
利用可能な狭帯域は、いくつかのＰＲＢまたはＲＢＧであることができる。より少ないＰＲＢを含有する最後のＲＢＧは、上記で説明されるように、利用可能な狭帯域として使用される場合もあり、されない場合もある。例えば、２０ＭＨｚの伝送帯域幅は、１００個のＰＲＢを含有する。０〜１５のインデックスを有するＰＲＢに対応する、合計で１６個の利用可能な狭帯域がある。代替として、利用可能な狭帯域は、事前判定された間隔で生じるＰＲＢまたはＲＢＧであることができる。例えば、２０ＭＨｚの伝送帯域幅は、１００個のＰＲＢを含有する。伝送帯域幅の両端で対称に配列され、２の事前判定された間隔、すなわち、０、２、４、６、８、１０、１２、および１４のＰＲＢインデックスで生じる、８個のＰＲＢである、合計で８個の利用可能な狭帯域がある。代替として、利用可能な狭帯域は、伝送帯域幅の一端においてそれぞれが利用可能な狭帯域として１個のＰＲＢを含む、Ｎ個のＲＢＧからのＮ個のＰＲＢであることができる。
【０１００】
代替として、利用可能な狭帯域は、Ｎ個の連続ＰＲＢまたは規則的に離間したＰＲＢ、Ｎ個の連続ＲＢＧまたは規則的に離間したＲＢＧ、および伝送帯域幅の中心における６つもしくは７個のＰＲＢの両側でそれぞれが利用可能な狭帯域として１個のＰＲＢを含む、Ｎ個のＲＢＧからのＮ個のＰＲＢであることができる。
【０１０１】
利用可能な狭帯域は、いくつかのＰＲＢまたはＲＢＧであることができる。より少ないＰＲＢを含有する最後のＲＢＧは、上記で説明されるように、利用可能な狭帯域として使用される場合もあり、されない場合もある。偶数帯域幅に関して、利用可能な狭帯域は、伝送帯域幅の中心における６個のＰＲＢの両側に配列されることができる。奇数帯域幅に関して、利用可能な狭帯域は、伝送帯域幅の中心における７個のＰＲＢの両側に配列されることができる。
【０１０２】
例えば、２０ＭＨｚの伝送帯域幅は、１００個のＰＲＢを含有する。３９〜４６および５３〜６０のインデックスを有するＰＲＢに対応する、合計で１６個の利用可能な狭帯域がある。別の実施例では、５ＭＨｚの伝送帯域幅は、２５個のＰＲＢを含有する。７、８、１６、および１７のインデックスを有するＰＲＢ、またはＲＢＧ＃９、１０、１４、および１５に対応する、合計で４つの利用可能な狭帯域がある。代替として、利用可能な狭帯域は、事前判定された間隔で生じるＰＲＢまたはＲＢＧであることができる。代替として、利用可能な狭帯域は、伝送帯域幅の中心における６個または７個のＰＲＢの両側でそれぞれが利用可能な狭帯域として１個のＰＲＢを含む、Ｎ個のＲＢＧからのＮ個のＰＲＢであることができる。
【０１０３】
代替として、利用可能な狭帯域は、Ｎ個の連続ＰＲＢまたは規則的に離間したＰＲＢ、Ｎ個の連続ＲＢＧまたは規則的に離間したＲＢＧ、および伝送帯域幅の中心における６つもしくは７個のＰＲＢの片側でそれぞれが利用可能な狭帯域として１個のＰＲＢを含む、Ｎ個のＲＢＧからのＮ個のＰＲＢであることができる。
【０１０４】
利用可能な狭帯域は、いくつかのＰＲＢまたはＲＢＧであることができる。より少ないＰＲＢを含有する最後のＲＢＧは、上記で説明されるように、利用可能な狭帯域として使用される場合もあり、されない場合もある。偶数帯域幅に関して、利用可能な狭帯域は、伝送帯域幅の中心における６個のＰＲＢの両側に配列されることができる。奇数帯域幅に関して、利用可能な狭帯域は、伝送帯域幅の中心における７個のＰＲＢの両側に配列されることができる。
【０１０５】
例えば、２０ＭＨｚの伝送帯域幅は、１００個のＰＲＢを含有する。３１〜４６のインデックスを有するＰＲＢに対応する、合計で１６個の利用可能な狭帯域がある。別の実施例では、５ＭＨｚの伝送帯域幅は、２５個のＰＲＢを含有する。５、６、７、および８のインデックスを有するＰＲＢに対応する、合計で４つの利用可能な狭帯域がある。代替として、利用可能な狭帯域は、事前判定された間隔で生じるＰＲＢまたはＲＢＧであることができる。代替として、利用可能な狭帯域は、伝送帯域幅の中心における６個または７個のＰＲＢの片側でそれぞれが利用可能な狭帯域として１個のＰＲＢを含む、Ｎ個のＲＢＧからのＮ個のＰＲＢであることができる。
【０１０６】
代替として、利用可能な狭帯域は、Ｎ個の連続ＰＲＢまたは規則的に離間したＰＲＢ、Ｎ個の連続ＲＢＧまたは規則的に離間したＲＢＧ、および伝送帯域幅の中心においてそれぞれが利用可能な狭帯域として１個のＰＲＢを含む、Ｎ個のＲＢＧからのＮ個のＰＲＢであることができる。
【０１０７】
利用可能な狭帯域は、いくつかのＰＲＢまたはＲＢＧであることができる。これは、ＮＢ−ＩｏＴ内のダウンリンクの中心における６個または７個のＰＲＢが利用不可能であるため、利用可能なアップリンク狭帯域のためにより好適である。代替として、利用可能な狭帯域は、事前判定された間隔で生じるＰＲＢまたはＲＢＧであることができる。代替として、利用可能な狭帯域は、伝送帯域幅の中心においてそれぞれが利用可能な狭帯域として１個のＰＲＢを含む、Ｎ個のＲＢＧからのＮ個のＰＲＢであることができる。
【０１０８】
代替として、利用可能な狭帯域は、事前判定された間隔で生じるＰＲＢであることができる。例えば、ＰＲＢ＃０から始まって、４つ毎のＰＲＢのうちの１つは、利用可能な狭帯域である。４個のＰＲＢの中の１個のＰＲＢの位置は、セル識別に基づいて判定されることができる。ダウンリンクに関して、利用可能な狭帯域は、伝送帯域幅内の全てのＰＲＢから取得されることができ、中心における６個または７個のＰＲＢに重複する狭帯域は、利用不可能である。代替として、利用可能な狭帯域は、中心における６個または７個のＰＲＢ以外の伝送帯域幅内のＰＲＢから取得されることができる。例えば、２０ＭＨｚのシステム帯域幅は、１００個のＰＲＢに対応する。残りの１００−６＝９４個のＰＲＢの間で、ＰＲＢ＃０から始まって、４つ毎のＰＲＢのうちの１つは、利用可能な狭帯域である。
【０１０９】
例えば、２０ＭＨｚの伝送帯域幅は、１００個のＰＲＢを含有する。４２〜５７のインデックスを有するＰＲＢに対応する、合計で１６個の利用可能な狭帯域がある。
【０１１０】
実践では、本開示は、上記の実施形態に限定されない。
【０１１１】
２）利用可能な狭帯域は、１つ以上の保護帯域内にあることができる。
【０１１２】
各システム帯域幅は、いくつかの利用可能な狭帯域、例えば、伝送帯域幅の片側または両側の１つもしくは複数の保護帯域内の１００ＫＨｚの倍数から７．５ｋＨｚよりも小さいラスタオフセットとともに、中心周波数をそれぞれ有する、１２個の連続副搬送波の全てまたは一部から成る狭帯域、伝送帯域幅の１つもしくは複数のエッジ周波数の近傍に配列される狭帯域、システム帯域幅の１つもしくは複数のエッジ周波数の近傍に配列される狭帯域、または伝送帯域幅の１つもしくは複数のエッジ周波数とシステム帯域幅の１つもしくは複数のエッジ周波数との間に配列される狭帯域に対応する。
【０１１３】
代替として、伝送帯域幅の片側または両側の保護帯域のエッジからシステム帯域幅のエッジまで、１２個毎の副搬送波が、狭帯域を形成することができる。利用可能な狭帯域は、形成された狭帯域の全てまたは一部であることができる。狭帯域は、伝送帯域幅の１つもしくは複数のエッジ周波数の近傍、システム帯域幅の１つもしくは複数のエッジ周波数の近傍、または伝送帯域幅の１つもしくは複数のエッジ周波数とシステム帯域幅の１つもしくは複数のエッジ周波数との間に配列されることができる。
【０１１４】
代替として、システム帯域幅の片側または両側の保護帯域のエッジから伝送帯域幅のエッジまで、１２個毎の副搬送波が、狭帯域を形成することができる。利用可能な狭帯域は、形成された狭帯域の全てまたは一部であることができる。狭帯域は、伝送帯域幅の１つもしくは複数のエッジ周波数の近傍、システム帯域幅の１つもしくは複数のエッジ周波数の近傍、または伝送帯域幅の１つもしくは複数のエッジ周波数とシステム帯域幅の１つもしくは複数のエッジ周波数との間に配列されることができる。
【０１１５】
代替として、利用可能な狭帯域は、事前判定された間隔で生じる。
【０１１６】
随意に、利用可能な狭帯域は、周波数において２つの隣接する帯域幅の保護帯域内の狭帯域、例えば、２つの隣接する２０ＭＨｚシステム帯域幅の保護帯域内の狭帯域であることができる。
【０１１７】
３）利用可能な狭帯域のうちのいくつかは、伝送帯域幅内にあることができ、他は、保護帯域内にあることができる。
【０１１８】
各システム帯域幅は、伝送帯域幅内のいくつかのＰＲＢおよび保護帯域内のいくつかの狭帯域に対応する。利用可能な狭帯域の位置は、上記で説明されるように類似する。例えば、利用可能な狭帯域は、伝送帯域幅のエッジにおけるいくつかのＰＲＢおよび保護帯域内のいくつかの狭帯域であることができる。
【０１１９】
好ましくは、利用可能なアップリンク／ダウンリンク狭帯域の数は、２の倍数、例えば、２、６、８、１０…、または２の累乗、例えば、２、４、８、１６…であることができる。そのような利用可能な狭帯域の数は、リソースインジケーションまたは対称周波数ホッピングに有利である。代替として、利用可能なアップリンク／ダウンリンク狭帯域の数は、２、３、または４の倍数であることができる。２、３、または４が、既存のＬＴＥシステム内のＲＢＧの中に含まれるＰＲＢの数であるため、レガシーＵＥのためのリソース配分が利用可能な狭帯域として整数のＲＢＧを使用することが有利である。代替として、利用可能なアップリンク／ダウンリンク狭帯域の数は、伝送帯域幅内のＲＢＧサイズの倍数であることができる。例えば、１０ＭＨｚのシステム帯域幅に関して、ＲＢＧサイズは、３であり、利用可能な狭帯域の数は、３の倍数、例えば、３、６、９等であることができる。
【０１２０】
好ましくは、利用可能なアップリンク／ダウンリンク狭帯域の数は、セット｛２、４、８、１２、１６｝から選択されることができる。ここで、セットは、拡張マシンタイプ通信（ｅＭＴＣ）のための伝送帯域幅内の狭帯域の数を含有する。ＮＢ−ＩｏＴのマルチ狭帯域動作は、ｅＭＴＣ技法を再利用することができる。代替として、利用可能な狭帯域の数は、システム帯域幅に基づいて判定されることができる。例えば、３ＭＨｚ、５ＭＨｚ、１０ＭＨｚ、１５ＭＨｚ、または２０ＭＨｚのシステム帯域幅は、２、４、８、１２、または１６の利用可能な狭帯域の数に対応する。代替として、利用可能な狭帯域の数は、２、４、８、１２、または１６の倍数であることができる。
【０１２１】
代替として、ＵＥは、システム帯域幅およびセル識別に基づいて、利用可能な狭帯域を取得することができる。例えば、利用可能な狭帯域の数は、システム帯域幅に依存し得、利用可能な狭帯域の位置は、セル識別に依存し得る。例えば、帯域内シナリオでは、利用可能な狭帯域の数は、５ＭＨｚよりも低いまたはそれに等しいシステム帯域幅については４、もしくは５ＭＨｚよりも高いシステム帯域幅については８であることができる。利用可能な狭帯域は、セル識別が奇数であるときに最低周波数を有する端部に、またはセル識別が偶数であるときに最高周波数を有する端部にあることができる。実践では、本開示は、上記の実施例に限定されない。
【０１２２】
代替として、ＵＥは、上記で説明されるように、セル識別に基づいて利用可能な狭帯域を取得することができる。
【０１２３】
好ましい実施形態２
本実施形態では、情報伝送のための方法が提供される。
【０１２４】
システム帯域幅では、アンカ搬送波のためのいくつかの候補位置がある。例えば、帯域内モードでは、５ＭＨｚのシステム帯域幅に関して、候補位置は、ＰＲＢ＃１、７、１７、および２２である。アンカ搬送波の位置は、２ビット情報を使用して示されることができる。同様に、保護帯域モードまたは帯域内および保護帯域ハイブリッドモードでは、アンカ搬送波の位置はまた、候補位置を用いて示されることもできる。情報は、以下のうちの少なくとも１つを含む。
例えば、（利用可能な狭帯域の位置の実施例について、好ましい実施形態１を参照して）アンカ搬送波の４つの位置が、利用可能な狭帯域の４つの位置に対応する、利用可能な狭帯域の数および／または利用可能な狭帯域の位置、ここではＮＢ−ＳＩＢ１であり得るＮＢ−ＳＩＢのためのスケジューリング情報、またはＮＢ−ＳＩＢのＴＢＳ、周波数ドメイン位置、周波数ホッピングパラメータ、時間ドメイン位置、および伝送周期のうちの少なくとも１つを含む、他のＳＩＢメッセージ（ここでは、ＮＢ−ＳＩＢの周波数ホッピングパラメータは、周波数ホッピング狭帯域の位置、時間ドメイン周波数ホッピング粒度（例えば、１０ミリ秒毎の１つの周波数ホップ）、周波数ドメイン周波数ホッピング間隔（例えば、周波数ホップにつき１個のＰＲＢのオフセット）のうちの少なくとも１つを含む。例えば、ＮＢ−ＳＩＢは、アンカ搬送波の位置によって示される、２つのＴＢＳを有することができる。例えば、ＮＢ−ＳＩＢ狭帯域の位置は、アンカ搬送波の位置によって示されることができる。例えば、ＮＢ−ＳＩＢが伝送されるサブフレームは、アンカ搬送波の位置によって示されることができ、例えば、サブフレームは、サブフレーム＃５または９であることができる。例えば、ＮＢ−ＳＩＢの伝送周期は、アンカ搬送波の位置によって示されることができ、例えば、伝送周期は、２０ミリ秒または４０ミリ秒であることができる）。
ＭＩＢの中に含まれるビット数またはフィールドであって、例えば、アンカ搬送波は、狭帯域＃１内にあるときに４つのフィールド、もしくは狭帯域＃２内にあるときに８つのフィールドに対応する。
チャネルの全てまたは一部に適用可能である、時間ドメイン周波数ホッピング粒度であって、例えば、４つの粒度、１０ミリ秒、２０ミリ秒、４０ミリ秒、および８０ミリ秒が存在し得る。
チャネルの全てまたは一部に適用可能である、周波数ドメイン周波数ホッピング間隔であって、例えば、４つの間隔、１個のＰＲＢのオフセット、２個のＰＲＢのオフセット、３個のＰＲＢのオフセット、および４個のＰＲＢのオフセットが存在し得る。
チャネルの全てまたは一部に適用可能である、周波数ホッピングパターンであって、例えば、固定周波数ドメイン間隔を伴う周波数ホッピング、もしくは既存の物理アップリンク制御チャネル（ＰＵＣＣＨ）に類似する対称周波数ホッピング。
以下の情報またはチャネルのうちの少なくとも１つ：狭帯域物理ダウンリンク制御チャネル（ＮＢ−ＰＤＣＣＨ）、狭帯域物理ダウンリンク共有チャネル（ＮＢ−ＰＤＳＣＨ）、狭帯域ランダムアクセス応答（ＮＢ−ＲＡＲ）、狭帯域ページングメッセージ、狭帯域ＳＩＢ（ＮＢ−ＳＩＢ）、および狭帯域ＭＩＢ（ＮＢ−ＭＩＢ）の周波数ドメイン位置。
【０１２５】
好ましい実施形態３
本実施形態では、利用可能な狭帯域をシグナリングするための方法が提供される。
【０１２６】
本実施形態では、利用可能な狭帯域の数および／または利用可能な狭帯域の位置は、ＮＢ−ＰＳＳ／ＮＢ−ＳＳＳ／ＮＢ−ＭＩＢ／ＮＢ−ＳＩＢ内でシグナリングされることができる。
【０１２７】
例えば、利用可能な狭帯域の数は、システム帯域幅に基づいて固定または判定されることができる。利用可能な狭帯域の位置は、ＮＢ−ＰＳＳ／ＮＢ−ＳＳＳ／ＮＢ−ＭＩＢ／ＮＢ−ＳＩＢ内でシグナリングされることができる。利用可能な狭帯域の位置に関して、実施形態１を参照することができる。例えば、帯域内シナリオでは、利用可能な狭帯域は、システム帯域幅の片側または両側、システム帯域幅の中心における６つもしくは７個のＰＲＢの片側または両側等に配列されることができる。類似事例が、他のシナリオにも適用される。
【０１２８】
代替として、位置は、固定されることができる。例えば、保護帯域モードでは、利用可能な狭帯域は、伝送帯域の１つまたは複数のエッジ周波数の近傍のいくつかの利用可能な狭帯域であることができる。利用可能な狭帯域の数は、ＮＢ−ＰＳＳ／ＮＢ−ＳＳＳ／ＮＢ−ＭＩＢ／ＮＢ−ＳＩＢ内でシグナリングされることができる。別の実施例では、利用可能な狭帯域は、伝送帯域幅の両端におけるＰＲＢであることができる。ＭＩＢ／ＳＩＢ内の２ビットは、２、４、８、および１６のうちの１つとして利用可能な狭帯域の数を示すために使用されることができる。これはまた、ＰＢＧの数によって示されることもできる。例えば、２ビットは、利用可能な狭帯域に対応するＲＢＧが２、４、８、および１６のうちの１つであることを示すために使用されることができる。
【０１２９】
代替として、利用可能な狭帯域の数および利用可能な狭帯域の位置は両方とも、シグナリングされることができる。例えば、３ビットによって示される必要がある、２つの位置および４つの数が存在し得る。
【０１３０】
代替として、ＰＲＢ／利用可能な狭帯域のインデックスは、ＮＢ−ＰＳＳ／ＮＢ−ＳＳＳ／ＮＢ−ＭＩＢ／ＮＢ−ＳＩＢ内で直接シグナリングされることができる。保護帯域モードまたは帯域内および保護帯域ハイブリッドモードでは、いくつかの利用可能な狭帯域が、規格で定義され、番号付けされることができる。
【０１３１】
代替として、これは、ＲＢＧのためのビットマップを使用して示されることができる。例えば、帯域内モードでは、２０ＭＨｚのシステムに関して、２５ビットがインジケーションのために必要とされる。
【０１３２】
代替として、これは、リソース配分のための既存のインジケーション、例えば、リソース配分タイプ０、１、または２を使用して示されることができる。
【０１３３】
独立型モードでは、狭帯域の位置は、ＮＢ−ＰＳＳ／ＮＢ−ＳＳＳ／ＮＢ−ＭＩＢ／ＮＢ−ＳＩＢで示されることができる。例えば、アンカ搬送波からの狭帯域のオフセット、例えば、１つまたは２つの狭帯域のオフセットが、示されることができる。代替として、利用可能な狭帯域の数のみが、示されることができ、位置、例えば、アンカ搬送波の両側のいくつかの狭帯域が、事前判定されることができる。代替として、狭帯域は、事前判定された様式でインデックス化されることができ、狭帯域のインデックスは、ＮＢ−ＰＳＳ／ＮＢ−ＳＳＳ／ＮＢ−ＭＩＢ／ＮＢ−ＳＩＢ内でシグナリングされることができる。例えば、アンカ搬送波の最低周波数に隣接する狭帯域は、０のインデックスを有することができる、アンカ搬送波の最高周波数に隣接する狭帯域は、１のインデックスを有することができる、狭帯域＃０の最低周波数に隣接する狭帯域は、２のインデックスを有することができる、狭帯域＃１の最高周波数に隣接する狭帯域は、３のインデックスを有することができる等である。
【０１３４】
好ましい実施形態４
本実施形態では、利用可能な狭帯域を取得するための方法が提供される。
【０１３５】
利用可能な狭帯域についての情報は、システム帯域幅、セル識別、アンカ搬送波の位置、およびＮＢ−ＰＳＳ／ＮＢ−ＳＳＳ／ＮＢ−ＭＩＢ／ＮＢ−ＳＩＢの中に含有される情報のうちの少なくとも１つから取得されることができる。例えば、利用可能な狭帯域についての情報の一部は、上記のうちの１つから取得されることができ、利用可能な狭帯域についての情報の残りの部分は、別のものから取得されることができる。
【０１３６】
例えば、アンカ搬送波の位置およびシステム帯域幅は、集合的に、利用可能な狭帯域の参照位置、例えば、伝送帯域幅の一端に対応する。セル識別は、参照位置からの事前判定されたオフセット、例えば、１個のＰＲＢのオフセットに対応する。利用可能な狭帯域の位置は、オフセットを適用することによって取得されることができる。利用可能な狭帯域の数（例えば、４）は、ＮＢ−ＰＳＳ／ＮＢ−ＳＳＳ／ＮＢ−ＭＩＢ／ＮＢ−ＳＩＢによって示されることができる。
【０１３７】
好ましい実施形態５
本実施形態では、情報またはチャネルを伝送するための方法が提供される。
【０１３８】
方式１：アップリンクには、ＵＥがＰＲＡＣＨを伝送するための１つのアンカ搬送波がある。アンカ搬送波は、所定の様式で判定されることができ、例えば、アップリンクアンカ搬送波は、ダウンリンクアンカ搬送波と同一のＰＲＢインデックスに対応し、またはｅＮＢによって構成される。実践では、本開示は、上記の実施例に限定されない。
【０１３９】
ランダムアクセスプロシージャ中に、またはＲＲＣ接続が確立する前、もしくは狭帯域がＵＥのためにｅＮＢによって構成される前に、ＵＥは、アンカ搬送波上で動作している。ＵＥは、アップリンクアンカ搬送波上でＰＲＡＣＨ／メッセージ３を伝送し、ダウンリンクアンカ搬送波上またはＰＲＡＣＨ狭帯域に対応するダウンリンク狭帯域上でＲＡＲ／メッセージ４を受信する。ダウンリンク狭帯域は、ｅＮＢによって事前判定または構成される。いったんｅＮＢが、ＵＥのために、一対のアップリンクおよびダウンリンク狭帯域、例えば、アップリンク狭帯域に対応するＰＲＢインデックスおよびダウンリンク狭帯域に対応するＰＲＢインデックスを構成すると、ＵＥは、構成されたダウンリンク狭帯域上で制御チャネルを検出することができる。ＰＤＳＣＨが、ダウンリンク狭帯域上で伝送され、ＰＵＳＣＨが、アップリンク狭帯域上で伝送される。随意に、ＰＤＳＣＨ／ＰＵＳＣＨのリソースは、狭帯域内で配分される。ｅＮＢがＵＥのために一対のアップリンクおよびダウンリンク狭帯域を構成する前に、ＵＥは、アップリンクおよびダウンリンクアンカ搬送波上で動作している。随意に、ｅＮＢは、メッセージ４内でＵＥのために一対のアップリンクおよびダウンリンク狭帯域を構成することができる。
【０１４０】
方式２：ＰＲＡＣＨの伝送のための複数の狭帯域またはＰＲＢがある。複数の狭帯域は、例えば、ＳＩＢ内で、ｅＮＢによって事前判定または構成されることができる。ＵＥは、ＰＲＡＣＨを伝送するための狭帯域のうちの１つを選択することができる。好ましくは、ＰＲＡＣＨの伝送のための複数の狭帯域は、それぞれ、異なるカバレッジレベルに対応する。例えば、それぞれ、３つのカバレッジレベルに対応する３つの狭帯域、または５つの狭帯域があり、その場合、２つのカバレッジレベルはそれぞれ、２つの狭帯域に対応し、残りの１つのカバレッジレベルは、残りの狭帯域に対応する。ランダムアクセスプロシージャ中に、またはＲＲＣ接続が確立する前、もしくは狭帯域がＵＥのためにｅＮＢによって構成される前に、ＵＥは、同一の狭帯域内でＰＵＳＣＨおよびＰＲＡＣＨを伝送する。ＵＥがＲＡＲ／メッセージ４を受信する狭帯域は、アンカ搬送波であることができる。代替として、ＰＲＡＣＨを伝送するための各狭帯域は、１つのダウンリンク狭帯域に対応する。ＵＥが狭帯域上でＰＲＡＣＨ／メッセージ３を伝送するとき、対応するダウンリンク狭帯域上でＲＡＲ／メッセージ４を受信するであろう。ダウンリンク狭帯域は、例えば、ＳＩＢ内で、ｅＮＢによって構成されることができる。例えば、ＰＲＡＣＨを伝送するための狭帯域およびその対応するダウンリンク狭帯域は、それぞれ、ＳＩＢ内で構成されることができる。
【０１４１】
いったんｅＮＢが、ＵＥのために、一対のアップリンクおよびダウンリンク狭帯域、例えば、アップリンク狭帯域に対応するＰＲＢインデックスおよびダウンリンク狭帯域に対応するＰＲＢインデックスを構成すると、ＵＥは、構成されたダウンリンク狭帯域上で制御チャネルを検出することができる。ＰＤＳＣＨが、ダウンリンク狭帯域上で伝送され、ＰＵＳＣＨが、アップリンク狭帯域上で伝送される。随意に、ＰＤＳＣＨ／ＰＵＳＣＨのリソースは、狭帯域内で配分される。ｅＮＢがＵＥのために一対のアップリンクおよびダウンリンク狭帯域を構成する前に、ＵＥは、アップリンクおよびダウンリンクアンカ搬送波上で動作している。随意に、ｅＮＢは、メッセージ４内でＵＥのために一対のアップリンクおよびダウンリンク狭帯域を構成することができる。
【０１４２】
方式３：情報／チャネルは、周波数ホッピングを用いて複数の狭帯域を経由して伝送されることができる。複数のアップリンク狭帯域およびダウンリンク狭帯域は、周波数ホッピングを用いて情報／チャネルを伝送するためにＳＩＢ内で構成されることができる。例えば、アップリンクおよびダウンリンク狭帯域に対応するＰＲＢインデックスが、構成されることができ、周波数ホッピングによる伝送は、事前判定されたパターンに従って行われることができる。代替として、周波数ホッピングオフセット値が、構成されることができ、情報／チャネルは、周波数ホッピングオフセット値に従って周波数ホッピングによって伝送されることができる。
【０１４３】
以下では、ページングメッセージを伝送するためのいくつかの方式が説明されるであろう。
【０１４４】
方式１：ページングメッセージが、ダウンリンクアンカ搬送波上で検出される。
【０１４５】
方式２：ページングメッセージが、最高カバレッジレベルにおけるＰＲＡＣＨ狭帯域に対応するダウンリンク狭帯域上で検出される。
【０１４６】
方式３：ＵＥは、ページングメッセージを検出するためのＵＥ識別に基づいて、ページング狭帯域のセットから狭帯域を選択する。例えば、それぞれ、０、１、および２のインデックスを有する、３つのページング狭帯域があると仮定して、ＵＥがページングメッセージを検出する狭帯域は、
【数４】
2019508960.tif 000010
のインデックスを有し、
【数５】
2019508960.tif 000011
は、セル識別であり、ｍｏｄは、モジュロ演算を表す。ページング狭帯域のセットは、例えば、ＳＩＢ内で構成され、またはシステム帯域幅に基づいて事前判定されることができる。
【０１４７】
随意に、ＵＥが、ｅＮＢによって構成されるアップリンクおよびダウンリンク狭帯域を受信する前に、ページングメッセージを検出するとき、ページングメッセージが検出される狭帯域上でダウンリンク制御チャネルを検出する。代替として、ＵＥは、ＵＥが最後に接続状態であったときに、ＵＥのためにｅＮＢによって構成されるダウンリンク狭帯域上でダウンリンク制御チャネルを検出する。
【０１４８】
随意に、ｅＮＢは、アンカ搬送波または別の狭帯域上でページングメッセージを検出するかどうかをＵＥに示すインジケーション信号をＵＥに伝送する。
【０１４９】
随意に、ＵＥがページングメッセージを検出するサブフレームは、ページングメッセージが検出される狭帯域に基づいて判定される。随意に、ＮＢ−ＰＳＳ／ＮＢ−ＳＳＳ／ＮＢ−ＰＢＣＨ／ＮＢ−ＳＩＢがアンカ搬送波上で伝送される場合、かつこれらのサブフレームおよび従来の解法に従ってＵＥが計算するページング機会が重複する場合、ＵＥは、これらの重複サブフレーム上でページングメッセージを検出しない。他の狭帯域上に共通メッセージがない場合、ＵＥは、従来の解法に従ってＵＥが計算するページング機会でページングメッセージを検出することができる。代替として、アンカ搬送波上で、ＮＢ−ＰＳＳ／ＮＢ−ＳＳＳ／ＮＢ−ＰＢＣＨ／ＮＢ−ＳＩＢが伝送されるサブフレームおよび従来の解法に従ってＵＥが計算するページング機会が重複する場合、ページング機会は、例えば、次のサブフレームまたは次の無線フレーム内のあるサブフレームまで、事前判定された様式で延期されるであろう。
【０１５０】
随意に、異なるパラメータが、アンカ搬送波および他の搬送波上の利用可能なサブフレームを計算するために使用される。計算のための方程式は、既存の解法と同一であり得る。既存の解法では、ページングフレーム（ＰＦ）およびページング機会（ＰＯ）は、以下の方程式に従って判定されることができる。
ＰＦを判定するための方程式：ＳＦＮ  ｍｏｄ  Ｔ＝（Ｔ  ｄｉｖ  Ｎ）＊（ＵＥ＿ＩＤ  ｍｏｄ  Ｎ）
ＰＯを判定するための方程式：ｉ＿ｓ＝ｆｌｏｏｒ（ＵＥ＿ＩＤ／Ｎ）ｍｏｄ  Ｎｓ
−  Ｔ：ＵＥのＤＲＸ周期
−  ｎＢ：４Ｔ、２Ｔ、Ｔ、Ｔ／２、Ｔ／４、Ｔ／８、Ｔ／１６、Ｔ／３２
−  Ｎ：ｍｉｎ（Ｔ，ｎＢ）、ｍｉｎは、最小値を表す。
−  Ｎｓ：ｍａｘ（１，ｎＢ／Ｔ）、ｍａｘは、最大値を表す。
ＵＥ＿ＩＤ：ＩＭＳＩ  ｍｏｄ  １０２４、ＩＭＳＩは、国際移動電話加入者識別番号を表す。
【０１５１】
上記の方程式の中のパラメータは、アンカ搬送波および他の搬送波について異なり得る。例えば、アンカ搬送波のＴ値は、他の搬送波のものよりも大きくあり得る。代替として、ｎＢ値は、異なり得る。
【０１５２】
随意に、アンカ搬送波および他の搬送波は、異なるＰＯを有し得る。例えば、アンカ搬送波上で、ＰＳＳ／ＳＳＳ／ＰＢＣＨ／ＳＩＢが伝送されるサブフレーム以外のサブフレームのうちのいくつかは、ページングサブフレームとして使用される。他の搬送波上で、サブフレーム＃０、４、５、および９のうちのいくつかは、ページングサブフレームとして使用される。随意に、ＳＩＢを伝送するためのサブフレームは、システム内でＳＩＢを伝送するためのサブフレームまたは事前判定された伝送サブフレームであることができる。例えば、１０個のサブフレーム毎に１つのＳＩＢサブフレームが存在し得る。実践では、２０個のサブフレーム毎に１つのＳＩＢサブフレームが存在し得る。しかしながら、ＰＯを計算するとき、１０個のサブフレーム毎に１つのＳＩＢサブフレームがあると考慮され得る。
【０１５３】
好ましい実施形態６
本実施形態では、情報伝送のための方法が提供される。
【０１５４】
アンカ搬送波は、伝送帯域幅内にあることができ、他の搬送波は、伝送帯域幅内、保護帯域内、または部分的に伝送帯域幅内および部分的に伝送帯域幅の外側にあることができる。代替として、アンカ搬送波は、保護帯域内にあることができ、他の搬送波は、伝送帯域幅内、保護帯域内、または部分的に伝送帯域幅内および部分的に伝送帯域幅の外側にあることができる。
【０１５５】
１つ以上のアンカ搬送波が存在し得る。
【０１５６】
チャネル毎の各カバレッジレベルは、ｅＮＢによって構成され、または事前判定されることができる、狭帯域に対応する。
【０１５７】
随意に、システムに１つを上回るアンカ搬送波および１つを上回る利用可能な狭帯域があるとき、１つのアンカ搬送波は、いくつかの利用可能な狭帯域に対応することができる。異なるアンカ搬送波に対応する利用可能な狭帯域は、同一、部分的に同一、または完全に異なり得る。
【０１５８】
随意に、ｅＮＢは、ＭＩＢまたはＳＩＢ内で、アンカ搬送波であるいずれかの狭帯域および利用可能な狭帯域であるいずれかをシグナリングすることができる。
【０１５９】
好ましい実施形態７
本実施形態では、システム帯域幅、アンカ搬送波の位置、動作モード、およびラスタオフセットが合同でコード化される実施例である。ここでは、アンカ搬送波の位置は、帯域内モードでのアンカ搬送波の位置および保護帯域モードでのアンカ搬送波の位置を含む。帯域内モードでは、アンカ搬送波の位置は、システム帯域幅内のＰＲＢであることができる。保護帯域モードでは、アンカ搬送波の位置は、保護帯域内のいくつかの狭帯域であることができる。
【０１６０】
随意に、動作モードは、アンカ搬送波に対応するモードであることができる。例えば、帯域内モードでは、アンカ搬送波は、システム帯域幅内の伝送帯域幅内のＰＲＢの中にあることができる。保護帯域モードでは、アンカ搬送波は、システム帯域幅内の保護帯域内にあることができる。独立型モードでは、アンカ搬送波は、非ＬＴＥ搬送波内にある。ここでは、複数の搬送波があるとき、アンカ搬送波および他の搬送波は、異なるモードを有し得る可能性がある。
【０１６１】
保護帯域モードでのアンカ搬送波のための候補位置が表３に示されると仮定される。
【表３】
2019508960.tif 000012
【０１６２】
表３では、「搬送波の中心周波数」の値の中の「±」という記号は、セル内の全ての周波数に適用される。合計で４０個の候補位置がある。ここでは、「搬送波の中心周波数」の値はそれぞれ、ｋＨｚ単位で、システム帯域幅のＤＣからのＮＢ−ＩｏＴシステム内のアンカ搬送波の中心周波数のラスタオフセットである。表３内の「ラスタオフセット」は、１００ｋＨｚの最も近い整数の倍数からのラスタオフセットに関する。例えば、５ＭＨｚのシステム帯域幅に関して、中心周波数は、＋２３９２．５であり、＋２４００ｋＨｚに達するように＋７．５ｋＨｚを加算される必要がある。
【０１６３】
表１に示される搬送波のうちのいくつかは、重複する。最大２２個の非重複候補位置がある。表４は、非重複候補位置の実施例を示す。
【表４】
2019508960.tif 000013
【０１６４】
表５は、合同でコード化されたシステム帯域幅、アンカ搬送波の位置（帯域内モードおよび保護帯域モードでのアンカ搬送波の位置を含む）、および動作モードの実施例を示す。ここでは、保護帯域モードのための１６個の候補位置がある。実践では、候補位置の数および候補位置は、表５に示されるものに限定されない。保護帯域モードに関して、いくつかの位置が、表３に示されるセットから選択されることができる。
【表５−１】
2019508960.tif 000014
【表５−２】
2019508960.tif 000015
【表５−３】
2019508960.tif 000016
【０１６５】
代替として、保護帯域モードに関して、中心周波数の位置を示す代わりに、ラスタオフセットは、以下の表６に示されるように、６ビットを使用して示されることができる。
【表６】
2019508960.tif 000017
【０１６６】
随意に、ＮＢ−ＩｏＴのＰＣＩが帯域内または保護帯域モードでのシステム帯域幅のＰＣＩと同一であるかどうかを示す、同一物理セル識別（ＰＣＩ）は、１ビットを使用して示されることができる。
【０１６７】
実践では、本開示は、上記の実施例に限定されない。
【０１６８】
好ましい実施形態８
本実施形態では、システム帯域幅、アンカ搬送波の位置（帯域内モードでのアンカ搬送波の位置および保護帯域モードでのアンカ搬送波の位置を含む）、動作モード、およびラスタオフセットが、表７に示されるように、合同でコード化される、実施例である。
【表７】
2019508960.tif 000018
【０１６９】
ここでは、保護帯域モードでの位置は、表５に示される具体的位置または表６に示されるラスタオフセット値であることができる。後者の場合、他の情報を示すための予備状態がある。
【０１７０】
動作モードは、１ビットを使用して、独立型または非独立型として示されることができる。同一ＰＣＩ情報は、１ビットを使用して、同一のＰＣＩまたは異なるＰＣＩとして示されることができる。ここでは、同一ＰＣＩ情報は、帯域内モード、または帯域内モードおよび保護帯域モードの両方について示されることができる。代替として、それらは、表８に示されるように、合同でコード化されて示されることができる。
【表８】
2019508960.tif 000019
【０１７１】
独立型モードでは、残りの状態は、独立型モードでのいくつかのパラメータを示すために使用されることができる。
【０１７２】
好ましい実施形態９
本実施形態では、合同インジケーションの実施例が提供される。
【０１７３】
動作モードおよび帯域内モードでの同一ＰＣＩ情報は、表９に示されるように、合同で示されることができる。
【表９】
2019508960.tif 000020
【０１７４】
システム帯域幅、アンカ搬送波の位置、ラスタオフセット、および保護帯域モードでの同一ＰＣＩ情報は、表１０に示されるように、６ビットを使用して合同で示されることができる。６ビット情報、すなわち、それが帯域内モードでのＰＲＢインデックスまたは保護帯域モードでの位置および同一ＰＣＩ情報であるかどうかは、表９に示されるように動作モードに従って、解釈されることができる。帯域内モードでは、これは、表１０内の第２の列として解釈されることができる一方で、保護帯域モードでは、これは、表１０内の第３の列として解釈されることができる。
【表１０】
2019508960.tif 000021
【０１７５】
実践では、本開示は、上記の実施例に限定されない。
【０１７６】
好ましい実施形態１０
動作モードは、別個に、または同一ＰＣＩと合同で示されることができる。実施例では、表１１に示されるように、帯域内モードのみが同一ＰＣＩ情報を有すると仮定して、動作モードおよび同一ＰＣＩ情報は、合同で示されることができる。
【表１１】
2019508960.tif 000022
【０１７７】
帯域内モードおよび保護帯域モードが両方とも同一ＰＣＩ情報を有すると仮定して、実施例が表１２に示される。
【表１２】
2019508960.tif 000023
【０１７８】
６ビット情報、すなわち、それが帯域内モードでのＰＲＢインデックスまたは保護帯域モードでの位置および同一ＰＣＩ情報であるかどうかは、表１２に示されるように動作モードに従って、解釈されることができる。帯域内モードでは、これは、表１３内の第２の列として解釈されることができる一方で、保護帯域モードでは、これは、表１３内の第３の列として解釈されることができる。
【表１３】
2019508960.tif 000024
【０１７９】
実践では、本開示は、上記の実施例に限定されない。
【０１８０】
好ましい実施形態１１
４つまたはそれ未満のレガシーＣＲＳポートがあるかどうかを示すために、１ビットが使用される。４つ未満のポートに関して、レガシーＣＲＳポートは、ＮＢ−ＩｏＴシステムのためのＣＲＳである、ＮＢ−ＣＲＳポートと同一である。実施例が、表１４に示されている。
【表１４】
2019508960.tif 000025
【０１８１】
レガシーＣＲＳポート、動作モード、および同一ＰＣＩ情報のうちのいずれか２つまたは３つは、合同でコード化されることができる。実施例が、表１５または１６に示されている。
【表１５】
2019508960.tif 000026
【表１６】
2019508960.tif 000027
【０１８２】
実践では、本開示は、上記の実施例に限定されない。
【０１８３】
上記の実施形態の説明を用いると、上記の実施形態による方法は、必要な一般的ハードウェアプラットフォームを加えたソフトウェアを用いて実現されることができ、当然ながら、ハードウェアを介して実装されることができるが、多くの場合、前者がより良好な実装であることが、当業者に明白となるであろう。本理解に基づいて、本発明の技術的ソリューションは、本質的に、または先行技術に寄与する部分の観点から、記憶媒体（例えば、ＲＯＭ／ＲＡＭ、ディスク、ＣＤ−ＲＯＭ）の中に記憶され、端末デバイス（携帯電話、コンピュータ、サーバ、またはネットワークデバイス等であり得る）が本発明の種々の実施形態に説明される方法を行うことを可能にするためのいくつかの命令を含む、ソフトウェア製品の形態で具現化され得る。
【０１８４】
本発明の実施形態はまた、記憶媒体を提供する。代替として、本実施形態では、上記の記憶媒体は、以下のステップを行うためのプログラムコードを記憶するように構成されてもよい。
【０１８５】
ステップＳ１では、利用可能な狭帯域は、システム帯域幅、セル識別、アンカ搬送波の位置、一次同期信号（ＰＳＳ）によって示される情報、二次同期信号（ＳＳＳ）によって示される情報、マスタ情報ブロック（ＭＩＢ）によって示される情報、およびシステム情報ブロック（ＳＩＢ）によって示される情報のうちの少なくとも１つを備える、情報に基づいて判定される。狭帯域を経由して伝送される情報またはチャネルは、ダウンリンク制御チャネル、物理ダウンリンク共有チャネル（ＰＤＳＣＨ）、ランダムアクセス応答（ＲＡＲ）、ページングメッセージ、ＳＩＢ、ＭＩＢ、物理ランダムアクセスチャネル（ＰＲＡＣＨ）、物理アップリンク共有チャネル（ＰＵＳＣＨ）、および物理アップリンク制御チャネル（ＰＵＣＣＨ）のうちの少なくとも１つを備える。
【０１８６】
ステップＳ２では、情報またはチャネルは、利用可能な狭帯域のうちの１つ以上を経由して伝送される。利用可能な狭帯域は、利用可能なアップリンク狭帯域および／または利用可能なダウンリンク狭帯域を含む。
【０１８７】
随意に、記憶媒体はさらに、上記の実施形態の方法ステップを行うためのプログラムコードを記憶するように構成される。
【０１８８】
代替として、本実施形態では、上記の記憶媒体は、限定されないが、ＵＳＢディスク、読取専用メモリ（ＲＯＭ）、ランダムアクセスメモリ（ＲＡＭ）、モバイルハードディスク、磁気ディスクまたはＣＤ−ＲＯＭ、およびプログラムコードを記憶することができる他の媒体を含んでもよい。
【０１８９】
随意に、本実施形態では、プロセッサは、記憶媒体の中に記憶されたプログラムコードに従って、上記の実施形態の方法ステップを実行する。
【０１９０】
随意に、本実施形態における具体的実施例に関して、上記の実施形態および随意の実施形態に関連して説明される実施例を参照することができ、その詳細は、ここでは省略されるであろう。
【０１９１】
本発明の上記のモジュールまたはステップは、汎用コンピューティングデバイスを用いて実装されてもよく、単一コンピューティングデバイス上に設置されてもよく、または複数のコンピューティングデバイスのネットワークにわたって分散されてもよいことが、当業者に明白となるであろう。随意に、それらは、記憶デバイスの中に記憶され、コンピューティングデバイスによって実行され得るように、コンピューティングデバイスによって実行可能なプログラムコードを用いて実装されてもよく、ある場合には、それらは、本明細書に図示もしくは説明されるステップと異なる順序で行われてもよく、またはそれらは、個々の集積回路モジュールの中に別個に作製されてもよく、または複数のモジュールもしくはその中のステップを単一集積回路モジュールの中に作製することによって実装されてもよい。したがって、本発明は、任意の特定のハードウェア、ソフトウェア、およびそれらの組み合わせに限定されない。
【０１９２】
前述は、単に、本発明の好ましい実施形態の例証であって、本発明を限定することを意図するものではない。種々の変更および修正が、当業者によって行われてもよい。本発明の精神および原理内の任意の修正、同等の代用、改良、ならびに同等物が、本発明の範囲内に含まれることが意図される。
【産業上の利用可能性】
【０１９３】
本開示の実施形態は、情報伝送において適用されることができる。情報またはチャネルは、利用可能な狭帯域のうちの１つ以上を経由して伝送される。利用可能な狭帯域は、利用可能なアップリンク狭帯域および／または利用可能なダウンリンク狭帯域を含み、利用可能な狭帯域は、システム帯域幅、セル識別、アンカ搬送波の位置、一次同期信号（ＰＳＳ）によって示される情報、二次同期信号（ＳＳＳ）によって示される情報、マスタ情報ブロック（ＭＩＢ）によって示される情報、およびシステム情報ブロック（ＳＩＢ）によって示される情報のうちの少なくとも１つを含む、情報に基づいて判定される。１つ以上の狭帯域を経由して伝送される情報またはチャネルは、ダウンリンク制御チャネル、物理ダウンリンク共有チャネル（ＰＤＳＣＨ）、ランダムアクセス応答（ＲＡＲ）、ページングメッセージ、ＳＩＢ、ＭＩＢ、物理ランダムアクセスチャネル（ＰＲＡＣＨ）、物理アップリンク共有チャネル（ＰＵＳＣＨ）、および物理アップリンク制御チャネル（ＰＵＣＣＨ）のうちの少なくとも１つを含む。ＮＢ−ＩｏＴ内で複数の狭帯域／搬送波を取得する方法に関する問題を解決し、利用可能な狭帯域を判定するための方式を提供することが可能である。
【図１】
2019508960.tif 000028
【図２】
2019508960.tif 000029
【図３】
2019508960.tif 000030
【手続補正書】
【提出日】平成30年10月4日(2018.10.4)
【手続補正１】
【補正対象書類名】特許請求の範囲
【補正対象項目名】全文
【補正方法】変更
【補正の内容】
【特許請求の範囲】
【請求項１】
ワイヤレス通信デバイスによって行われる方法であって、
ワイヤレス通信ノードから物理ブロードキャストチャネル（ＰＢＣＨ）上でメッセージを受信することであって、前記メッセージは、同期信号を搬送するように構成されるアンカ搬送波の周波数位置を備える、ことと、
前記アンカ搬送波上で伝送されるシステム情報ブロック（ＳＩＢ）を受信することと
を含み、
前記周波数位置は、中心周波数からのオフセットに対応する物理リソースブロックインデックスによって示される、方法。
【請求項２】
ワイヤレス通信デバイスによって行われる方法であって、
ワイヤレス通信ノードから物理ブロードキャストチャネル（ＰＢＣＨ）上でメッセージを受信することであって、前記メッセージは、レガシーセル特有の参照信号（ＣＲＳ）アンテナポートの数が４または狭帯域モノのインターネットＣＲＳ（ＮＢ−ＣＲＳ）アンテナポートの数に等しいかどうかというインジケーションを備える、ことと、
前記インジケーションに基づいて前記レガシーＣＲＳアンテナポートの数を判定することと
を含む、方法。
【請求項３】
ワイヤレス通信デバイスによって行われる方法であって、
ワイヤレス通信ノードから物理ブロードキャストチャネル（ＰＢＣＨ）上でメッセージを受信することを含み、
前記メッセージは、前記ワイヤレス通信デバイスに割り当てられる動作モードのインジケーションを備え、
前記動作モードは、同期信号を搬送するように構成されるアンカ搬送波の周波数位置と、同一物理セル識別（ＰＣＩ）のインジケータとを合同でコード化することによって示される、方法。
【請求項４】
ワイヤレス通信ノードによって行われる方法であって、
物理ブロードキャストチャネル（ＰＢＣＨ）上でメッセージをワイヤレス通信デバイスに伝送することであって、前記メッセージは、同期信号を搬送するように構成されるアンカ搬送波の周波数位置を備える、ことと、
前記アンカ搬送波上で伝送されるシステム情報ブロック（ＳＩＢ）を伝送することと
を含み、
前記周波数位置は、中心周波数からのオフセットに対応する物理リソースブロックインデックスによって示される、方法。
【請求項５】
ワイヤレス通信ノードによって行われる方法であって、
物理ブロードキャストチャネル（ＰＢＣＨ）上でメッセージをワイヤレス通信デバイスに伝送することを含み、
前記メッセージは、レガシーセル特有の参照信号（ＣＲＳ）アンテナポートの数が４または狭帯域モノのインターネットＣＲＳ（ＮＢ−ＣＲＳ）アンテナポートの数に等しいかどうかというインジケーションを備える、方法。
【請求項６】
ワイヤレス通信ノードによって行われる方法であって、
物理ブロードキャストチャネル（ＰＢＣＨ）上でメッセージをワイヤレス通信デバイスに伝送することを含み、
前記メッセージは、前記ワイヤレス通信デバイスに割り当てられる動作モードのインジケーションを備え、
前記動作モードは、同期信号を搬送するように構成されるアンカ搬送波の周波数位置と、同一物理セル識別（ＰＣＩ）のインジケータとを合同でコード化することによって示される、方法。
【請求項７】
コンピュータ実行可能命令を記憶する非一過性のコンピュータ可読媒体であって、前記コンピュータ実行可能命令は、実行されると、請求項１〜６のいずれか１項に記載の方法を実施する、非一過性のコンピュータ可読媒体。
【請求項８】
ワイヤレス通信デバイスであって、
ワイヤレス通信ノードから物理ブロードキャストチャネル（ＰＢＣＨ）上でメッセージを受信するための受信機であって、前記メッセージは、同期信号を搬送するように構成されるアンカ搬送波の周波数位置を備え、前記受信機は、前記アンカ搬送波上で伝送されるシステム情報ブロック（ＳＩＢ）を受信するようにさらに構成されている、受信機と、
中心周波数からのオフセットに対応する物理リソースブロックインデックスに基づいて、前記周波数位置を判定するように構成されている、少なくとも１つのプロセッサと
を備える、ワイヤレス通信デバイス。
【請求項９】
ワイヤレス通信デバイスであって、
ワイヤレス通信ノードから物理ブロードキャストチャネル（ＰＢＣＨ）上でメッセージを受信するための受信機であって、前記メッセージは、レガシーセル特有の参照信号（ＣＲＳ）アンテナポートの数が４または狭帯域モノのインターネットＣＲＳ（ＮＢ−ＣＲＳ）アンテナポートの数に等しいかどうかというインジケーションを備える、受信機と、
前記インジケーションに基づいて前記レガシーＣＲＳアンテナポートの数を判定するように構成されている、少なくとも１つのプロセッサと
を備える、ワイヤレス通信デバイス。
【請求項１０】
ワイヤレス通信デバイスであって、
ワイヤレス通信ノードから物理ブロードキャストチャネル（ＰＢＣＨ）上でメッセージを受信するための受信機であって、前記メッセージは、前記ワイヤレス通信デバイスに割り当てられる動作モードのインジケーションを備える、受信機と、
同期信号を搬送するように構成されるアンカ搬送波の周波数位置と、同一物理セル識別（ＰＣＩ）のインジケータとを合同でコード化することによって、前記動作モードを判定するように構成されている、少なくとも１つのプロセッサと
を備える、ワイヤレス通信デバイス。
【請求項１１】
ワイヤレス通信ノードであって、
物理ブロードキャストチャネル（ＰＢＣＨ）上でメッセージをワイヤレス通信デバイスに伝送するための伝送機を備え、
前記メッセージは、同期信号を搬送するように構成されるアンカ搬送波の周波数位置を備え、
前記伝送機はさらに、前記アンカ搬送波上で伝送されるシステム情報ブロック（ＳＩＢ）を伝送するように構成され、
前記周波数位置は、中心周波数からのオフセットに対応する物理リソースブロックインデックスによって示される、ワイヤレス通信ノード。
【請求項１２】
ワイヤレス通信ノードであって、
物理ブロードキャストチャネル（ＰＢＣＨ）上でメッセージをワイヤレス通信デバイスに伝送するための伝送機を備え、
前記メッセージは、レガシーセル特有の参照信号（ＣＲＳ）アンテナポートの数が４または狭帯域モノのインターネットＣＲＳ（ＮＢ−ＣＲＳ）アンテナポートの数に等しいかどうかというインジケーションを備える、ワイヤレス通信ノード。
【請求項１３】
ワイヤレス通信ノードであって、
物理ブロードキャストチャネル（ＰＢＣＨ）上でメッセージをワイヤレス通信デバイスに伝送するための伝送機を備え、
前記メッセージは、前記ワイヤレス通信デバイスに割り当てられる動作モードのインジケーションを備え、
前記動作モードは、同期信号を搬送するように構成されるアンカ搬送波の周波数位置と、同一物理セル識別（ＰＣＩ）のインジケータとを合同でコード化することによって示される、を備える、ワイヤレス通信ノード。
【手続補正２】
【補正対象書類名】明細書
【補正対象項目名】００２９
【補正方法】変更
【補正の内容】
【００２９】
本開示の実施形態を用いると、情報またはチャネルは、利用可能な狭帯域のうちの１つ以上を経由して伝送される。利用可能な狭帯域は、利用可能なアップリンク狭帯域および／または利用可能なダウンリンク狭帯域を含み、利用可能な狭帯域は、システム帯域幅、セル識別、アンカ搬送波の位置、一次同期信号（ＰＳＳ）によって示される情報、二次同期信号（ＳＳＳ）によって示される情報、マスタ情報ブロック（ＭＩＢ）によって示される情報、およびシステム情報ブロック（ＳＩＢ）によって示される情報のうちの少なくとも１つを含む、情報に基づいて判定される。１つ以上の狭帯域を経由して伝送される情報またはチャネルは、ダウンリンク制御チャネル、物理ダウンリンク共有チャネル（ＰＤＳＣＨ）、ランダムアクセス応答（ＲＡＲ）、ページングメッセージ、ＳＩＢ、ＭＩＢ、物理ランダムアクセスチャネル（ＰＲＡＣＨ）、物理アップリンク共有チャネル（ＰＵＳＣＨ）、および物理アップリンク制御チャネル（ＰＵＣＣＨ）のうちの少なくとも１つを含む。ＮＢ−ＩｏＴ内で複数の狭帯域／搬送波を取得する方法に関する問題を解決し、利用可能な狭帯域を判定するための方式を提供することが可能である。
本願明細書は、例えば、以下の項目も提供する。
（項目１）
情報伝送のための方法であって、
利用可能な狭帯域のうちの１つ以上を経由して情報またはチャネルを伝送することを含み、
前記利用可能な狭帯域は、利用可能なアップリンク狭帯域および／または利用可能なダウンリンク狭帯域を備え、前記利用可能な狭帯域は、システム帯域幅、セル識別、アンカ搬送波の位置、一次同期信号（ＰＳＳ）によって示される情報、二次同期信号（ＳＳＳ）によって示される情報、マスタ情報ブロック（ＭＩＢ）によって示される情報、およびシステム情報ブロック（ＳＩＢ）によって示される情報のうちの少なくとも１つを備える、情報に基づいて判定され、
前記１つ以上の狭帯域を経由して伝送される前記情報またはチャネルは、ダウンリンク制御チャネル、物理ダウンリンク共有チャネル（ＰＤＳＣＨ）、ランダムアクセス応答（ＲＡＲ）、ページングメッセージ、ＳＩＢ、ＭＩＢ、物理ランダムアクセスチャネル（ＰＲＡＣＨ）、物理アップリンク共有チャネル（ＰＵＳＣＨ）、および物理アップリンク制御チャネル（ＰＵＣＣＨ）のうちの少なくとも１つを備える、方法。
（項目２）
前記利用可能な狭帯域を判定する際に使用されることに加えて、前記アンカ搬送波の位置は、前記ＳＩＢのためのスケジューリング情報、前記ＭＩＢの中に含まれるビット数またはフィールド、時間ドメイン周波数ホッピング粒度、周波数ドメイン周波数ホッピング間隔、周波数ホッピングパターン、および前記情報またはチャネルが伝送される周波数ドメイン位置のうちの少なくとも１つを示すために使用される、項目１に記載の方法。
（項目３）
利用可能な狭帯域の数は、２の倍数、３の倍数、２の累乗、Ｇの倍数、およびセット｛２、４、８、１２、および１６｝からの要素のうちの１つであり、Ｇは、前記システム帯域幅に対応するリソースブロックグループ（ＲＢＧ）の中に含まれる物理リソースブロック（ＰＲＢ）の数であり、Ｇは、正の整数である、項目１に記載の方法。
（項目４）
利用可能な狭帯域の数は、前記システム帯域幅に基づいて判定される、項目１または３に記載の方法。
（項目５）
前記利用可能な狭帯域は、伝送帯域幅内の以下の位置：前記伝送帯域幅の両端、前記伝送帯域幅の一端、前記伝送帯域幅の中心における６個または７個のＰＲＢの両側、前記伝送帯域幅の中心における６個または７個のＰＲＢの片側、前記伝送帯域幅の中心、および前記伝送帯域幅にわたる事前判定された周波数ドメイン間隔のうちの１つにある、項目１に記載の方法。
（項目６）
前記伝送帯域幅の両端におけるＰＲＢまたはＲＢＧ、前記伝送帯域幅の一端、前記伝送帯域幅の中心における６個または７個のＰＲＢの両側、前記伝送帯域幅の中心における６個または７個のＰＲＢの片側、もしくは前記伝送帯域幅の中心は、
Ｎ個の連続ＰＲＢまたは規則的に離間したＰＲＢ、
Ｎ個の連続ＲＢＧまたは規則的に離間したＲＢＧ、および
それぞれが利用可能な狭帯域として１個のＰＲＢを含む、Ｎ個のＲＢＧからのＮ個のＰＲＢ
のうちの１つであり、Ｎは、正の整数である、項目１または５に記載の方法。
（項目７）
前記利用可能な狭帯域は、
前記システム帯域幅に対応する伝送帯域幅内のＮ個の狭帯域、
前記システム帯域幅の一端または両端における１つもしくは複数の保護帯域内のＮ個の狭帯域、
前記システム帯域幅に対応する前記伝送帯域幅内のＮ１個の狭帯域および前記システム帯域幅の一端または両端における前記保護帯域内のＮ２個の狭帯域、ならびに
周波数ドメイン内の２つの隣接するシステム帯域幅の保護帯域の全てまたは一部内のＮ個の狭帯域
のうちの１つを含み、Ｎ、Ｎ１、およびＮ２は、正の整数である、項目１に記載の方法。
（項目８）
ランダムアクセスプロシージャ中または無線リソース制御（ＲＲＣ）接続の確立前、もしくはユーザ機器（ＵＥ）のための狭帯域の構成前に、前記利用可能な狭帯域のうちの１つ以上を経由して前記情報またはチャネルを伝送することは、
進化型ノードＢ（ｅＮＢ）によって事前判定または構成されるアップリンクアンカ搬送波を経由して前記ＰＲＡＣＨまたはＰＵＳＣＨを伝送し、ダウンリンクアンカ搬送波または前記アップリンクアンカ搬送波に対応するダウンリンク狭帯域を経由して前記ダウンリンク制御チャネルまたはＰＤＳＣＨを伝送することと、
カバレッジレベルに基づいて狭帯域のセットから選択されるアップリンク狭帯域を経由して前記ＰＲＡＣＨまたはＰＵＳＣＨを伝送し、前記アップリンク狭帯域に対応するダウンリンク狭帯域またはアンカ搬送波を経由して前記ダウンリンク制御チャネルまたはＰＤＳＣＨを伝送することであって、前記狭帯域のセットは、前記ｅＮＢによって事前判定または構成される、ことと、
狭帯域のセットから選択される狭帯域を経由して前記ＰＲＡＣＨまたはＰＵＳＣＨを伝送し、前記アップリンク狭帯域に対応するダウンリンク狭帯域またはアンカ搬送波を経由して前記ダウンリンク制御チャネルまたはＰＤＳＣＨを伝送することであって、前記狭帯域のセットは、前記ｅＮＢによって事前判定または構成される、ことと
のうちの１つを含む、項目１に記載の方法。
（項目９）
前記ページングメッセージを伝送するための前記利用可能な狭帯域は、
ダウンリンクアンカ搬送波、
最高カバレッジレベルにおけるＰＲＡＣＨ狭帯域に対応するダウンリンク狭帯域、および
ＵＥ識別に基づくページング狭帯域のセットから判定されるダウンリンク狭帯域であって、前記ページング狭帯域のセットは、前記ＳＩＢを介して事前判定または構成される、ダウンリンク狭帯域
のうちの１つを備える、項目１に記載の方法。
（項目１０）
前記ページングメッセージを伝送するためのサブフレームは、前記ページングメッセージを伝送するための前記狭帯域のタイプに基づいて判定される、項目９に記載の方法。
（項目１１）
前記アンカ搬送波の位置は、前記ＰＳＳ、ＳＳＳ、ＰＢＣＨ、またはＳＩＢ内でシグナリングされる、項目１または２に記載の方法。
（項目１２）
帯域内モードでは、前記アンカ搬送波の位置は、前記システム帯域幅の中心の両側の３２個の候補位置のうちの１つにある、項目１１に記載の方法。
（項目１３）
前記アンカ搬送波の位置は、５ビットを使用して示される、項目１１または１２に記載の方法。
（項目１４）
前記アンカ搬送波の位置についての情報、前記システム帯域幅についての情報、レガシーセル参照信号（ＣＲＳ）ポートについての情報、同一物理セル識別（ＰＣＩ）についての情報、ラスタオフセットについての情報、および動作モードについての情報は、別個に示され、または
前記アンカ搬送波の位置についての情報、前記システム帯域幅についての情報、前記レガシーＣＲＳポートについての情報、同一ＰＣＩについての情報、前記ラスタオフセットについての情報、および前記動作モードについての情報のうちの少なくとも２つは、合同でコード化することによって示される、項目１１に記載の方法。
（項目１５）
同一ＰＣＩについての前記情報および前記動作モードについての前記情報を合同でコード化することによって示される情報は、
独立型モード、
保護モード、
前記同一ＰＣＩを伴う帯域内モード、または
異なるＰＣＩを伴う帯域内モード
のうちの１つを示す、項目１４に記載の方法。
（項目１６）
前記レガシーＣＲＳポートについての前記情報は、狭帯域モノのインターネット（ＮＢ−ＩｏＴ）システム内のＣＲＳポートについての情報に基づいて判定される、項目１４に記載の方法。
（項目１７）
前記レガシーＣＲＳポートについての前記情報は、
４であるレガシーＣＲＳポートの数と、
前記ＮＢ−ＩｏＴシステム内のＣＲＳポートの数と同一であるレガシーＣＲＳポートの数と
のうちの１つを示す、項目１４または１６に記載の方法。
（項目１８）
合同でコード化することによって示される前記情報は、前記ＰＳＳ、ＳＳＳ、ＰＢＣＨ、またはＳＩＢ内でシグナリングされる、項目１４に記載の方法。
（項目１９）
情報伝送のための装置であって、
利用可能な狭帯域のうちの１つ以上を経由して情報またはチャネルを伝送するように構成された伝送モジュールを備え、
前記利用可能な狭帯域は、利用可能なアップリンク狭帯域および／または利用可能なダウンリンク狭帯域を備え、前記利用可能な狭帯域は、システム帯域幅、セル識別、アンカ搬送波の位置、一次同期信号（ＰＳＳ）によって示される情報、二次同期信号（ＳＳＳ）によって示される情報、マスタ情報ブロック（ＭＩＢ）によって示される情報、およびシステム情報ブロック（ＳＩＢ）によって示される情報のうちの少なくとも１つを備える、情報に基づいて判定され、
前記１つ以上の狭帯域を経由して伝送される前記情報またはチャネルは、ダウンリンク制御チャネル、物理ダウンリンク共有チャネル（ＰＤＳＣＨ）、ランダムアクセス応答（ＲＡＲ）、ページングメッセージ、ＳＩＢ、ＭＩＢ、物理ランダムアクセスチャネル（ＰＲＡＣＨ）、物理アップリンク共有チャネル（ＰＵＳＣＨ）、および物理アップリンク制御チャネル（ＰＵＣＣＨ）のうちの少なくとも１つを備える、装置。
（項目２０）
前記利用可能な狭帯域を判定する際に使用されることに加えて、前記アンカ搬送波の位置は、前記ＳＩＢのためのスケジューリング情報、前記ＭＩＢの中に含まれるビット数またはフィールド、時間ドメイン周波数ホッピング粒度、周波数ドメイン周波数ホッピング間隔、周波数ホッピングパターン、および前記情報またはチャネルが伝送される周波数ドメイン位置のうちの少なくとも１つを示すために使用される、項目１９に記載の装置。
【国際調査報告】
2019508960.tif 000031
2019508960.tif 000032
2019508960.tif 000033
2019508960.tif 000034